(57)【要約】【課題】  着用者の顔に包括的にフィットするマスクを提供する。【解決手段】  本発明に係るマスク１は、着用者の少なくとも口及び鼻を覆うマスク本体部２と、マスク本体部２の両側から延出して形成され、着用者の耳に引っ掛けられる耳掛け穴５を有する左側耳掛け部３ａ及び右側耳掛け部３ｂを備え、マスク折り畳み時において、マスク本体部２と左側耳掛け部３ａ及び右側耳掛け部３ｂとの間の境界線４ａに直交し、当該境界線４ａと左側シート部３ａ及び右側シート部３ｂ間の縁部２ｃとの間を結んで形成される延在線のうち、境界線４ａの上端部Ｘ１に形成される第１の延在線Ｌ１の長さが、境界線４ａの下端部Ｘ２に形成される第２の延在線Ｌ２の長さよりも短くなるように構成されている。【選択図】      図３
2008093428.tif 000002
【特許請求の範囲】
【請求項１】
不織布からなる左側シート部及び右側シート部によって形成され、着用者の少なくとも口及び鼻を覆うマスク本体部と、
前記マスク本体部の両側から延出して形成され、着用者の耳に引っ掛けられる耳掛け穴を有する左側耳掛け部及び右側耳掛け部と、
を備え、
前記マスク本体部の前記左側シート部及び右側シート部が互いに重ね合わせられたマスク折り畳み時に平面状とされる一方、マスク着用時に立体状とされる構成のマスクであって、
前記マスク折り畳み時において、前記マスク本体部と前記左側耳掛け部及び右側耳掛け部との間の境界線に直交し、当該境界線と前記左側シート部及び右側シート部間の縁部との間を結んで形成される延在線のうち、前記境界線の上端部に形成される第１の延在線の長さが、前記境界線の下端部に形成される第２の延在線の長さよりも短くなるように構成されていることを特徴とするマスク。
【請求項２】
請求項１に記載のマスクであって、
更に、前記マスク折り畳み時において、前記延在線のうち、延在長さが最長とされる最長延在線が、前記境界線の上端部と下端部との中点部に形成される延在線よりも下方に配設される構成であることを特徴とするマスク。
【請求項３】
請求項１または２に記載のマスクであって、
更に、前記マスク折り畳み時において、前記マスク本体部と前記左側耳掛け部及び右側耳掛け部との間の境界線の上端部と、前記左側シート部と前記右側シート部との間の縁部の上端部とを結ぶ延在線よりも下方に、前記耳掛け穴が配設される構成であることを特徴とするマスク。
【請求項４】
不織布からなる左側シート部及び右側シート部によって形成され、着用者の少なくとも口及び鼻を覆うマスク本体部と、
前記マスク本体部の両側から延出して形成され、着用者の耳に引っ掛けられる耳掛け穴を有する左側耳掛け部及び右側耳掛け部と、
を備え、
前記マスク本体部の前記左側シート部及び右側シート部が互いに重ね合わせられたマスク折り畳み時に平面状とされる一方、マスク着用時に立体状とされる構成のマスクであって、
前記マスク折り畳み時において、前記マスク本体部と前記左側耳掛け部及び右側耳掛け部との間の境界線に直交し、当該境界線と前記左側シート部及び右側シート部間の縁部との間を結んで形成される延在線のうち、延在長さが最長とされる最長延在線が、前記境界線の上端部と下端部との中点部に形成される延在線よりも下方に配設される構成であることを特徴とするマスク。
【請求項５】
請求項４に記載のマスクであって、
更に、前記マスク折り畳み時において、前記マスク本体部と前記左側耳掛け部及び右側耳掛け部との間の境界線の上端部と、前記左側シート部と前記右側シート部との間の縁部の上端部とを結ぶ延在線よりも下方に、前記耳掛け穴が配設される構成であることを特徴とするマスク。
【請求項６】
不織布からなる左側シート部及び右側シート部によって形成され、着用者の少なくとも口及び鼻を覆うマスク本体部と、
前記マスク本体部の両側から延出して形成され、着用者の耳に引っ掛けられる耳掛け穴を有する左側耳掛け部及び右側耳掛け部と、
を備え、
前記マスク本体部の前記左側シート部及び右側シート部が互いに重ね合わせられたマスク折り畳み時に平面状とされる一方、マスク着用時に立体状とされる構成のマスクであって、
前記マスク折り畳み時において、前記マスク本体部と前記左側耳掛け部及び右側耳掛け部との間の境界線の上端部と、前記左側シート部と前記右側シート部との間の縁部の上端部とを結ぶ延在線よりも下方に、前記耳掛け穴が配設される構成であることを特徴とするマスク。
【請求項７】
請求項１〜６のうちのいずれか１項に記載のマスクであって、
前記マスク本体部、前記耳掛け部、及び前記マスク本体部と前記左側耳掛け部及び右側耳掛け部との境界部のうちの少なくとも１つは、マスクの上下方向を識別可能に表示する表示部を備える構成であることを特徴とするマスク。
【発明の詳細な説明】
【技術分野】
【０００１】
本発明は、着用者の顔に装着されるマスクの構築技術に関するものである。
【背景技術】
【０００２】
従来、例えば下記特許文献１には、着用者の口及び鼻を覆うマスク、とりわけ立体マスクが開示されている。この立体マスクは、マスク着用時に立体状とされ、これによりマスク本体部と着用者の口との間に口元空間が形成されるため、息苦しさ等の不快感を解消することができる。ところで、この種のマスクの設計・開発に際しては、着用者に対するフィット感を高めることが重要となるが、その前提として、着用者の顔の大きさや形状等の特徴や、マスクを取り扱う際の着用者の特性などを十分に考慮することが必要となる。例えば、鼻が低く頬が高い人や、耳の位置が低い人などの着用者に対し、一般的な大人用のマスクを適用する場合には、マスク着用時に当該マスクが適正な着用位置からずれたり、着用者の口元空間を確保できなくなるような現象が想定され、マスク本来の機能を全うできないという問題が生じる。また、例えば、子供や小顔の人のためのマスクを提供する場合に、一般的な大人用のマスクを単に相似状に縮小して小型化するのみでは、当該着用者の顔の特徴を十分に反映するのに限界がある。
【特許文献１】特開平７−２７５３８４号公報
【発明の開示】
【発明が解決しようとする課題】
【０００３】
そこで、本発明は、かかる点に鑑みてなされたものであり、着用者の顔に包括的にフィットするマスクを提供することを課題とする。
【課題を解決するための手段】
【０００４】
上記課題を達成するため、各請求項に記載の発明が構成される。
【０００５】
本発明に係るマスクは、着用者の顔に装着されるマスクであって、マスク本体部、左側耳掛け部及び右側耳掛け部を少なくとも備える。ここでいう「マスク」は、一回使用ないし数回使用を目安とした使い捨てタイプのものであってもよいし、或いは洗濯などを行ったうえで繰り返し使用することが可能なタイプのものであってもよい。また、このマスクは、典型的には、未就学の幼児をはじめ、小学生、中学生などを含む子供や、小顔の大人などの着用者に対して好適に使用することができるが、当該マスクを相似状に拡大した形状のマスクを構成することによって、一般的な大人などの着用者に対しても同様に使用可能とされる。
【０００６】
マスク本体部は、不織布からなる左側シート部及び右側シート部によって形成され、着用者の少なくとも口及び鼻を覆う部位として構成される。これにより、マスク着用時には、マスク本体部と着用者の口との間に口元空間が形成されることとなる。このマスク本体部は、１または複数のシート部或いはシート片によって形成することが可能とされる。典型的には、１つのシート部或いはシート片を部分的に接合することによって、或いは複数のシート部或いはシート片の全部または一部を連接状に接合することによって、マスク本体部が形成される。このマスク本体部を形成する左側シート部及び右側シート部は、典型的には機械的、化学的、熱的などの処理によって繊維を固着したり絡み合わせたりして作られるシート状の構成物であり、典型的には熱溶融性繊維（熱可塑性繊維）を一部に含み融着（溶着）が可能な不織布によって構成される。
左側耳掛け部及び右側耳掛け部は、マスク本体部の両側から延出して形成され、着用者の耳に引っ掛けられる耳掛け穴を有する構成とされる。これら左側耳掛け部及び右側耳掛け部は、マスク本体部と別体構造であってもよいし、或いはマスクの一部として一体構造であってもよい。
本構成のマスクは、マスク本体部の左側シート部及び右側シート部が互いに重ね合わせられたマスク折り畳み時（「マスク収納時」ないし「マスク未使用時」とも称呼する）に平面状とされる一方、マスク着用時に立体状とされる。
【０００７】
特に本構成のマスクでは、マスク折り畳み時において、マスク本体部と左側耳掛け部及び右側耳掛け部との間の境界線に直交し、当該境界線と左側シート部及び右側シート部間の縁部との間を結んで形成される延在線のうち、境界線の上端部に形成される第１の延在線の長さが、境界線の下端部に形成される第２の延在線の長さよりも短くなるように構成されている。要するに、マスク本体部の左右方向の横幅に関し、上端部における横幅が下端部における横幅よりも狭くなるように構成される。本構成では、マスクを立体状に拡開した状態において、着用者側或いはその反対側からみたマスク本体部は、上端部側を短辺とし下端部側を長辺とする台形状とされ、或いはその左右両端部によって概ね「ハ」字形状を形成することとなる。なお、マスク本体部と左側耳掛け部及び右側耳掛け部との間の境界線に関しては、当該境界線が直線状に構成されるのが好ましい。一方で、この境界線が曲線状に構成される場合には、曲線状の当該境界線の端部同士を結ぶ直線を、マスク本体部と左側耳掛け部及び右側耳掛け部との間の境界線として規定することもできる。
【０００８】
本発明に係るマスクのこのような構成によれば、マスク本体部の上端部における横幅を下端部における横幅よりも狭くすることで、マスク本体部の上端部側が着用者の鼻により面接触し易くなるため、とりわけ子供や小顔の人のように鼻が低く頬が高いような着用者のマスク着用時に、当該マスクが適正な着用位置からずれるのを防止することが可能となる。従って、着用者に対するマスクのフィット感向上を図ることが可能となる。
【０００９】
また、本発明に係る更なる形態のマスクは、更に、前記のマスク折り畳み時において、マスク本体部と左側耳掛け部及び右側耳掛け部との間の境界線に直交し、当該境界線と左側シート部及び右側シート部間の縁部との間を結んで形成される延在線のうち、延在長さが最長とされる最長延在線が、境界線の上端部と下端部との中点部に形成される延在線よりも下方に配設される構成であるのが好ましい。要するに、更なる構成として、マスク本体部の頂部、すなわち口覆い部の頂部が、マスクの上下方向に関し真中よりも下側に配置する構成を採用している。
【００１０】
このような構成によれば、マスクが適正な着用位置からずれるのを防止するとともに、マスク本体部の頂部を真中よりも下側に配置することで、とりわけ子供や小顔の人のように鼻先と口先（唇）との高さの差が小さい着用者のマスク着用時に、着用者の口元空間を増大させることが可能となる。
【００１１】
また、本発明に係る更なる形態のマスクは、更に、前記のマスク折り畳み時において、マスク本体部と左側耳掛け部及び右側耳掛け部との間の境界線の上端部と、左側シート部と右側シート部との間の縁部の上端部とを結ぶ延在線よりも下方に、耳掛け穴が配設される構成であるのが好ましい。要するに、更なる構成として、左側耳掛け部及び右側耳掛け部の耳掛け穴を、マスク本体部の上端部に対し相対的に低い部位に配設する構成を採用している。
【００１２】
このような構成によれば、マスクが適正な着用位置からずれるのを防止するとともに、左側耳掛け部及び右側耳掛け部の耳掛け穴を、マスク本体部の上端部に対し相対的に低い部位に配設することで、とりわけ子供や小顔の人のように耳の位置が低い着用者のマスク着用時に、当該マスクを適正な着用位置に設定することが可能となる。また、このような構成によれば、左側耳掛け部及び右側耳掛け部の上下の長さ、すなわち左側耳掛け部及び右側耳掛け部のうち耳掛け穴を挟んで上側の部位の長さと下側の部位の長さに関し、上側の部位の長さと下側の部位の長さが概ね等しいか、或いは上側の部位の長さが下側の部位の長さよりも若干長くなる。従って、左側耳掛け部及び右側耳掛け部を左右に多少強く引っ張っても、上側の部位及び下側の部位が概ね同様に伸びることとなり、バランスの良い装着性能を確保するとともに、局所的に力が作用するのを防止することが可能となる。
【００１３】
また、本発明に係る別の形態のマスクは、不織布からなる左側シート部及び右側シート部によって形成され、着用者の少なくとも口及び鼻を覆うマスク本体部と、マスク本体部の両側から延出して形成され、着用者の耳に引っ掛けられる耳掛け穴を有する左側耳掛け部及び右側耳掛け部と、を備え、マスク本体部の左側シート部及び右側シート部が互いに重ね合わせられたマスク折り畳み時に平面状とされる一方、マスク着用時に立体状とされる構成のマスクとされる。このマスクは、マスク折り畳み時において、マスク本体部と左側耳掛け部及び右側耳掛け部との間の境界線に直交し、当該境界線と左側シート部及び右側シート部間の縁部との間を結んで形成される延在線のうち、延在長さが最長とされる最長延在線が、境界線の上端部と下端部との中点部に形成される延在線よりも下方に配設される構成とされる。要するに、マスク本体部の頂部、すなわち口覆い部の頂部が、マスクの上下方向に関し真中よりも下側に配置する構成とされる。
【００１４】
本発明に係るマスクのこのような構成によれば、マスク本体部の頂部を真中よりも下側に配置することで、とりわけ子供や小顔の人のように鼻先と口先（唇）との高さの差が小さい着用者のマスク着用時に、着用者の口元空間を増大させることが可能となる。
【００１５】
また、本発明に係る更なる形態のマスクは、更に、前記のマスク折り畳み時において、マスク本体部と左側耳掛け部及び右側耳掛け部との間の境界線の上端部と、左側シート部と右側シート部との間の縁部の上端部とを結ぶ延在線よりも下方に、耳掛け穴が配設される構成であるのが好ましい。要するに、更なる構成として、左側耳掛け部及び右側耳掛け部の耳掛け穴を、マスク本体部の上端部に対し相対的に低い部位に配設する構成を採用している。
【００１６】
このような構成によれば、着用者の口元空間を増大させるとともに、左側耳掛け部及び右側耳掛け部の耳掛け穴を、マスク本体部の上端部に対し相対的に低い部位に配設することで、とりわけ子供や小顔の人のように耳の位置が低い着用者のマスク着用時に、当該マスクを適正な着用位置に設定することが可能となる。また、左側耳掛け部及び右側耳掛け部の上下の長さに関し、上側の部位の長さと下側の部位の長さが概ね等しいか、或いは上側の部位の長さが下側の部位の長さよりも若干長くなるため、左側耳掛け部及び右側耳掛け部を左右に多少強く引っ張っても、上側の部位及び下側の部位が概ね同様に伸びることとなり、バランスの良い装着性能を確保するとともに、局所的に力が作用するのを防止することが可能となる。
【００１７】
また、本発明に係る別の形態のマスクは、不織布からなる左側シート部及び右側シート部によって形成され、着用者の少なくとも口及び鼻を覆うマスク本体部と、マスク本体部の両側から延出して形成され、着用者の耳に引っ掛けられる耳掛け穴を有する左側耳掛け部及び右側耳掛け部と、を備え、マスク本体部の左側シート部及び右側シート部が互いに重ね合わせられたマスク折り畳み時に平面状とされる一方、マスク着用時に立体状とされる構成のマスクとされる。このマスクは、マスク折り畳み時において、マスク本体部と左側耳掛け部及び右側耳掛け部との間の境界線の上端部と、左側シート部と右側シート部との間の縁部の上端部とを結ぶ延在線よりも下方に、耳掛け穴が配設される構成とされる。要するに、左側耳掛け部及び右側耳掛け部の耳掛け穴を、マスク本体部の上端部に対し相対的に低い部位に配設する構成とされる。
【００１８】
本発明に係るマスクのこのような構成によれば、左側耳掛け部及び右側耳掛け部の耳掛け穴を、マスク本体部の上端部に対し相対的に低い部位に配設することで、とりわけ子供や小顔の人のように耳の位置が低い着用者のマスク着用時に、当該マスクを適正な着用位置に設定することが可能となる。また、左側耳掛け部及び右側耳掛け部の上下の長さに関し、上側の部位の長さと下側の部位の長さが概ね等しいか、或いは上側の部位の長さが下側の部位の長さよりも若干長くなるため、左側耳掛け部及び右側耳掛け部を左右に多少強く引っ張っても、上側の部位及び下側の部位が概ね同様に伸びることとなり、バランスの良い装着性能を確保するとともに、局所的に力が作用するのを防止することが可能となる。
【００１９】
また、本発明に係る更なる形態のマスクでは、前記のマスク本体部、前記の耳掛け部、及び前記のマスク本体部と前記の左側耳掛け部及び右側耳掛け部との境界部のうちの少なくとも１つは、マスクの上下方向を識別可能に表示する表示部を備える構成であるのが好ましい。このような構成によれば、マスクの上下方向を表示部によって着用者に容易に識別させることが可能となる。この表示部の具体的な構成に関しては、典型的には、接合用のエンボス構造によって文字、記号、模様、図柄などをあわわす構成や、印字構造などを用いることが可能である。
【発明の効果】
【００２０】
以上のように、本発明によれば、着用者の顔に包括的にフィットするマスクを提供することが可能となった。
【発明を実施するための最良の形態】
【００２１】
以下、本発明における「マスク」の一実施の形態であるマスク１につき、図１〜図１５を参照しつつ詳細に説明する。このマスク１は、１回ないし数回の使用を想定した使い捨てマスクとして構成される。花粉対策や風邪などのウイルス対策としてのバリア機能のみならず、口元や鼻腔の空間内おける保湿をはじめ、空間内環境における各種の機能付加を想定したマスクとして用いることができる。また、このマスク１は、典型的には、未就学の幼児をはじめ、小学生、中学生などを含む子供や、小顔の大人などの着用者に対し好適に使用することができるが、当該マスク１を相似状に拡大した形状のマスクを構成することによって、一般的な大人などの着用者に対しても同様に使用可能である。
【００２２】
まず、本実施の形態のマスク１の全体構成に関しては、図１及び図２が参照される。図１には、本実施の形態のマスク１のマスク折り畳み時における側面図が示され、また図２には、図１中のマスク１を立体状に拡開したマスク拡開時において、当該マスク１を着用者側からみた図が示される。これら図１及び図２に示すように、本実施の形態のマスク１は、マスク本体部２及び耳掛け部３に大別される。ここでいうマスク本体部２が、本発明における「マスク本体部」に相当する。
【００２３】
（マスク本体部２の構成）
マスク本体部２は、マスク１の各部位のうち着用者の口及び鼻を覆う部位として構成される。このマスク本体部２は、全体としてカップ形状とされた部位であり、また着用者の少なくとも口を覆う部位であり、「カップ部」或いは「口覆い部」とも称呼される。本実施の形態では、マスク本体部２は、図１及び図２に示すように、着用者の左顔面を覆うシート片状の左側シート部２ａと、着用者の右顔面を覆うシート片状の右側シート部２ｂからなる。これら左側シート部２ａ及び右側シート部２ｂが、縁部２ｃにおいて熱溶着によって互いに連接状に接合されることによって、マスク１を立体状に拡開した状態において、マスク本体部２の着用者側の着用面が凹み形状とされる。左側シート部２ａ及び右側シート部２ｂの接合部分に形成される縁部２ｃは、着用者の上下方向に関し曲線状に延在しており、マスク本体部２は、この縁部２ｃを境界として左右に二分される。ここでいう左側シート部２ａが、本発明における「左側シート部」に相当し、またここでいう右側シート部２ｂが、本発明における「右側シート部」に相当する。
【００２４】
また、マスク本体部２は、マスク着用の際に、図１に示すように左側シート部２ａと右側シート部２ｂが互いに離間した拡開状態に設定されて立体状に設定される一方、マスク折り畳み時（「マスク収納時」ないし「マスク未使用時」とも称呼する）においては、左側シート部２ａと右側シート部２ｂが互いに重ね合わせられた折り畳み状態（平面状）に設定される。なお、このマスク本体部２は、少なくともマスク着用時に立体状とされればよく、マスク着用時のみならずマスク着用前においても同様に立体状とされてもよい。立体形状或いは三次元形状を形成可能なこのマスク本体部２を備えるマスク１は、「立体マスク」ないし「三次元マスク」とも称呼される。
【００２５】
本実施の形態において、マスク本体部２、すなわち左側シート部２ａ及び右側シート部２ｂは、いずれも熱可塑性合成繊維の不織布を用いて形成されている。この熱可塑性繊維としては、ポリエチレン、ポリプロピレン、ポリエチレンテレフタレート等を使用し、エアースルー法、スパンボンド法、サーマルボンド法、スパンレース法、ポイントボンド法、メルトブロー法、ステッチボンド法、ケミカルボンド法、ニードルパンチ法等により製造された、目付けが３０〜１５０［ｇ／ｍ２］のものを適宜使用することができる。また、この不織布は、花粉・飛沫ウィルスの捕集性と、通気性を有し、肌触りが良く着用感の良い感触のものであり、且つ顔に被着されたときに立体構造が保持され易くなるように、耳掛け部３よりも伸縮性の低い低伸縮性とされるのが好ましい。ここでいう不織布が、本発明における「不織布」に相当する。
【００２６】
（耳掛け部３の構成）
耳掛け部３は、マスク本体部２の左右両側、すなわち左側シート部２ａ及び右側シート部２ｂの各々に対応する左側耳掛け部３ａ及び右側耳掛け部３ｂを備える構成とされる。ここでいう左側耳掛け部３ａが、本発明における「左側耳掛け部」に相当し、また右側耳掛け部３ｂが、本発明における「左側耳掛け部」に相当する。左側耳掛け部３ａは左側シート部２ａの端部から延出し、また右側耳掛け部３ｂは右側シート部２ｂの端部から延出しており、左側耳掛け部３ａ及び右側耳掛け部３ｂは、いずれも着用者の耳に引っ掛けられる耳掛け穴（開口）５を備えるリング状とされる。耳掛け穴５は、マスク１の上下方向（図１中の上下方向）と交差する方向に長手状に延在している。この耳掛け穴５が、本発明における「耳掛け穴」に相当する。
【００２７】
左側耳掛け部３ａ及び右側耳掛け部３ｂは、いずれもマスク本体部２とは別体構造とされ、境界部４においてマスク本体部２と部分的に重ね合わせられて互いに接合された構成とされる。詳細については後述するが、この接合構造に関しては、凹凸形状を有するエンボスローラーを用いて接合を行ういわゆる「エンボス加工」を用いることができる。なお、必要に応じては、左側耳掛け部３ａ及び右側耳掛け部３ｂを、マスク１の一部としてマスク本体部２と一体構造とすることもできる。
【００２８】
マスク着用時には、着用者の顔、特には鼻及び口をマスク本体部２によって覆った状態で、左側耳掛け部３ａ及び右側耳掛け部３ｂの耳掛け穴５が、着用者の耳に引っ掛けられる。このとき、左側耳掛け部３ａ及び右側耳掛け部３ｂは、いずれもマスク本体部２と同様に熱可塑性合成繊維の不織布であって、且つ耳に痛みを与えないような伸縮性、例えばマスク本体部２よりも伸縮性の高い高伸縮性を有するのが好ましい。具体的には、左側耳掛け部３ａ及び右側耳掛け部３ｂの構成として、非弾性的に伸長可能な伸長性繊維からなる伸長層（例えば、プロピレン連続繊維が互いに溶着された不織布）と、弾性伸縮可能な弾性伸縮性繊維からなる弾性層（例えば、熱可塑性合成繊維のエラストラマーやウレタン等からなる弾性糸を使用した不織布）が互いに積層された構成を好適に用いることができる。また、詳細については後述するが、左側耳掛け部３ａ及び右側耳掛け部３ｂには、それぞれマスク着用時における伸び易さ及び回復し易さを両立するのに有効な複数の開孔（開口）６が設けられている。
【００２９】
ところで、上記構成のマスク１の類のマスクの設計・開発に際しては、着用者に対するフィット感を高めることが重要となるが、その前提として、着用者の顔の大きさや形状等の特徴や、マスクを取り扱う際の着用者の特性などを十分に考慮することが必要となる。例えば、鼻が低く頬が高い人や、耳の位置が低い人などの着用者に対し、一般的な大人用のマスクを適用する場合には、マスク着用時に当該マスクが適正な着用位置からずれたり、着用者の口元空間を確保できなくなるような現象が想定され、マスク本来の機能を全うできないという問題が生じる。また、例えば、子供や小顔の人のためのマスクを提供する場合に、一般的な大人用のマスクを単に相似状に縮小して小型化するのみでは、当該着用者の顔の特徴を十分に反映するのに限界がある。
【００３０】
そこで、本発明者らは、子供の顔の特徴や子供の特性に着目し、マスク１を構成するマスク本体部２及び耳掛け部３ａ，３ｂの構造を、子供の顔の特徴や子供の特性に対応するように全般的に見直すこととした。その際、以下のような６つの見直しポイントに着目した。
（１）子供の顔の形状に関し、一般的な大人よりも鼻が低く頬が高い（盛り上がっている）。また、鼻は一般的な大人よりも丸みを帯びた傾向にある。
（２）子供の顔の形状に関し、一般的な大人に比べて鼻先と口先（唇）との高さの差が小さい。
（３）子供の顔の形状に関し、一般的な大人に比べて耳の位置が低い。
（４）子供の特性に関し、よくしゃべるためマスクが適正な着用位置からずれやすい。
（５）子供の特性に関し、マスク着用時に力加減が上手くいかず、耳掛け部を大きく引っ張って取り付ける傾向があるため、耳掛け部が伸び易い。
（６）子供の特性に関し、飽きっぽくマスクに興味を持ちにくい。
【００３１】
本発明者らは、これらの見直しポイントに基づいて、特に子供などの着用者に最適なマスクの構造について鋭意検討した。その検討の結果、本発明者らは、以下に示す第１〜第６の構造のうちの少なくとも１つを備えるマスクを構成することによって、子供などの着用者に最適なマスクを構築することが可能となった。ここで、このマスクの具体的な構造（第１〜第６の構造）を、図３〜図１４を参照しつつ詳細に説明する。
【００３２】
（第１の構造）
マスク１の第１の構造に関しては、図３及び図４が参照される。図３には、本実施の形態のマスク１のマスク折り畳み時における側面図であって、第１の構造を説明する図が示され、図４には、図３中のマスク１をマスク拡開時において着用者側からみた図であって、第１の構造を説明する図が示されている。
【００３３】
この第１の構造は、前記の見直しポイント（１）及び（４）に対応する解決手段として構成されるものであり、マスク本体部２の左右方向の横幅に関し、上端部における横幅が下端部における横幅よりも狭い構成とされる。具体的には、図３に示すマスク折り畳み時において、マスク本体部２と左側耳掛け部３ａ及び右側耳掛け部３ｂとの間の直線状の境界線４ａに直交し、当該境界線４ａと左側シート部２ａ及び右側シート部２ｂ間の縁部２ｃとの間を結んで形成される延在線のうち、境界線４ａの上端部Ｘ１に形成される第１の延在線Ｌ１の長さ（長さａ）が、境界線４ａの下端部Ｘ２に形成される第２の延在線Ｌ２の長さ（長さｂ）よりも短くなるように構成されている。このとき、第１の延在線Ｌ１は、境界線４ａの上端部Ｘ１において、この境界線４ａと直交する線のうち、上端部Ｘ１と縁部２ｃの点Ｙ１とを結ぶ線として規定される。同様に、第２の延在線Ｌ２は、境界線４ａの下端部Ｘ２において、この境界線４ａと直交する線のうち、下端部Ｘ２と縁部２ｃの点Ｙ２とを結ぶ線として規定される。
【００３４】
従って、このような構成では、図４に示すマスク拡開時において、左右の上端部Ｘ１を最短距離で結ぶ線の長さが、第１の延在線Ｌ１の長さの２倍（２×ａ）に実質的に合致し、また左右の下端部Ｘ２を最短距離で結ぶ線の長さが、第２の延在線Ｌ２の長さ（２×ｂ）に実質的に合致することとなる。このような構成では、マスク１を立体状に拡開した状態において、着用者側或いはその反対側からみたマスク本体部２は、上端部Ｘ１側を短辺とし下端部Ｘ２側を長辺とする台形状とされ、或いはその左右両端部によって概ね「ハ」字形状を形成することとなる。
なお、ここでいう「境界線４ａ」、「縁部２ｃ」、「境界線４ａの上端部Ｘ１」、「境界線４ａの下端部Ｘ２」、「第１の延在線Ｌ１」及び「第２の延在線Ｌ２」が、それぞれ本発明における「境界線」、「縁部」、「境界線の上端部」、「境界線の下端部」、「第１の延在線」及び「第２の延在線」に対応している。
【００３５】
このような第１の構造によれば、マスク本体部２の上端部における横幅を下端部における横幅よりも狭くするように構成することで、マスク本体部の上端部側が着用者の鼻により面接触し易くなるため、とりわけ子供や小顔の人のように鼻が低く頬が高いような着用者のマスク着用時に、当該マスクが適正な着用位置からずれるのを防止することが可能となる。
【００３６】
より具体的には、着用者がマスク１を着用する際、マスク本体部２の頂上の縁部分が着用者の鼻の稜線上に配置されるとともに、左側シート部２ａ及び右側シート部２ｂが、夫々左右側の鼻の傾斜に沿った状態にて配置されるところ、マスク本体部２の上端部が下端部よりも短く構成されているため、着用者の鼻に良好にフィットする。また、左側耳掛け部３ａ及び右側耳掛け部３ｂを耳にかけた際、マスク本体部２の上端部における横幅が短いため、当該耳掛け部がマスク本体部２を引っ張る力は、下端部側よりも上端部側の方が大きくなる。つまり、マスク本体部２の上端部側の方が、着用者に密接することとなり、一方でマスク本体部２の下端部側による着用者の顔の下側に対する締め付けは相対的に弱いものとなる。さらに、この際、マスク本体部２の下端部が上端部よりも長く形成されているため、マスク本体部２の下端部側が着用者の顎の広い範囲を覆った状態となり、これにより着用者の顎に対するマスク締め付け力はより分散され易くなる。従って、着用者がマスク着用時に喋った場合、顎が動いてもマスク１が顎の動きに追随しにくく、マスク１が適正な着用位置からずれにくいものとなる。
【００３７】
なお、マスク本体部２と左側耳掛け部３ａ及び右側耳掛け部３ｂとの間の境界線４ａに関しては、当該境界線が直線状に構成されるのが好ましい。一方で、この境界線が曲線状に構成される場合には、曲線状の当該境界線の端部同士を結ぶ直線を、マスク本体部２と左側耳掛け部３ａ及び右側耳掛け部３ｂとの間の境界線として規定することもできる。
【００３８】
（第２の構造）
マスク１の第２の構造に関しては、図５及び図６が参照される。図５には、本実施の形態のマスク１のマスク折り畳み時における側面図であって、第２の構造を説明する図が示され、図６には、図５中のマスク１をマスク拡開時において着用者側からみた図であって、第２の構造を説明する図が示されている。
【００３９】
この第２の構造は、前記の見直しポイント（２）に対応する解決手段として構成されるものであり、マスク本体部２の頂部（図５中の点Ｙ４）、すなわち口覆い部の頂部が、マスク１の上下方向に関し真中よりも下側に位置する構成とされる。具体的には、図５に示すマスク折り畳み時において、マスク本体部２と左側耳掛け部３ａ及び右側耳掛け部３ｂとの間の境界線４ａに直交し、当該境界線４ａと左側シート部２ａ及び右側シート部２ｂ間の縁部２ｃとの間を結んで形成される延在線のうち、延在長さが最長とされる第４の延在線Ｌ４（長さｃ）が、境界線４ａの上端部Ｘ１と下端部Ｘ２との中点部Ｘ３に形成される第３の延在線Ｌ３よりも下方に配設されるように構成されている。このとき、第３の延在線Ｌ３は、境界線４ａの中点部Ｘ３において、この境界線４ａと直交する線のうち、中点部Ｘ３と縁部２ｃの点Ｙ３とを結ぶ線として規定される。同様に、第４の延在線Ｌ４は、境界線４ａと直交し延在長さが最長とされる線のうち、境界線４ａ上の点Ｘ３と、縁部２ｃの点Ｙ４とを結ぶ線として規定される。また、このような構成では、図６に示すマスク拡開時において、左右の点Ｘ４を最短距離で結ぶ線の長さが、第４の延在線Ｌ４の長さの２倍（２×ｃ）に実質的に合致することとなる。
なお、ここでいう「中点部Ｘ３」、「第３の延在線Ｌ３」及び「第４の延在線Ｌ４」が、それぞれ本発明における「中点部」、「境界線の上端部と下端部との中点部に形成される延在線」、「延在長さが最長とされる最長延在線」に対応している。
【００４０】
このような第２の構造を採用することによって、マスク本体部の頂部をマスクの上下方向に関し真中よりも下側に配置することによって、とりわけ子供や小顔の人のように鼻先と口先（唇）との高さの差が小さい着用者のマスク着用時に、着用者の口元空間を増大させることが可能となる。
【００４１】
（第３の構造）
マスク１の第３の構造に関しては、図７及び図８が参照される。図７には、本実施の形態のマスク１のマスク折り畳み時における側面図であって、第３の構造を説明する図が示され、図８には、図７中のマスク１をマスク拡開時において着用者側からみた図であって、第３の構造を説明する図が示されている。
【００４２】
この第３の構造は、前記の見直しポイント（３）、（４）及び（５）に対応する解決手段として構成されるものであり、左側耳掛け部３ａ及び右側耳掛け部３ｂの耳掛け穴５を、マスク本体部２の上端部に対し相対的に低い部位に配設した構成とされる。具体的には、図７に示すマスク折り畳み時及び図８に示すマスク拡開時において、マスク本体部２と左側耳掛け部３ａ及び右側耳掛け部３ｂとの間の境界線４ａの上端部Ｘ１と、左側シート部２ａと右側シート部２ｂとの間の縁部２ｃの上端部Ｙ５とを結ぶ第５の延在線Ｌ５よりも下方に、耳掛け穴５が配設されるように構成されている。
なお、ここでいう「第５の延在線Ｌ５」が、本発明における「マスク本体部と左側耳掛け部及び右側耳掛け部との間の境界線の上端部と、左側シート部と右側シート部との間の縁部の上端部とを結ぶ延在線」に相当する。
【００４３】
このような第３の構造によれば、左側耳掛け部３ａ及び右側耳掛け部３ｂの耳掛け穴５を、マスク本体部２の上端部に対し相対的に低い部位に配設することで、とりわけ子供や小顔の人のように耳の位置が低い着用者のマスク着用時に、当該マスクを適正な着用位置に設定することが可能となる。また、このような第３の構造を採用することによって、左側耳掛け部３ａ及び右側耳掛け部３ｂの上下の長さ、すなわち左側耳掛け部３ａ及び右側耳掛け部３ｂのうち耳掛け穴５を挟んで上側の部位の長さと下側の部位の長さに関し、上側の部位の長さと下側の部位の長さが概ね等しいか、或いは上側の部位の長さが下側の部位の長さよりも若干長くなる。従って、左側耳掛け部３ａ及び右側耳掛け部３ｂを左右に多少強く引っ張っても、上側の部位及び下側の部位が概ね同様に伸びることとなり、バランスの良い装着性能を確保するとともに、局所的に力が作用するのを防止することが可能となる。
【００４４】
（第４の構造）
マスク１の第４の構造に関しては、図９が参照される。図９には、本実施の形態のマスク１のマスク折り畳み時における耳掛け部３ａ，３ｂの側面図であって、第４の構造を説明する図が示されている。
【００４５】
この第４の構造は、前記の見直しポイント（５）に対応する解決手段として構成されるものであり、左側耳掛け部３ａ及び右側耳掛け部３ｂの素材及び構造を工夫した構成とされる。具体的には、左側耳掛け部３ａ及び右側耳掛け部３ｂとして、繊維長さが４４ｍｍ以上の捲縮繊維を用いるとともに、左側耳掛け部３ａ及び右側耳掛け部３ｂに、長さの異なる２軸を有する楕円状の開孔（開口）６を複数設けるように構成されている。これら複数の開孔６は、いずれも左側耳掛け部３ａ及び右側耳掛け部３ｂにおいて貫通状に形成された孔とされる。なお、図９中の左図において、この開孔６は、長軸６ａ及び短軸６ｂを有する楕円孔としているが、楕円孔のみならず、ひし形、多角形、円形などの形状の開孔を適宜採用することもできる。
【００４６】
この開孔６は、典型的には、スパンレース不織布の製造過程において、全面均一にウォータージェット（高圧水流）による処理を施した後に、更にウォータージェット（高圧水流）による開孔処理を施すことによって形成される。このような開孔処理を用いることにより、開孔６の縁部において他の部位よりも繊維密度が高められ繊維が束ねられた状態が形成されることとなり、伸長後の耳掛け部３ａ，３ｂを、元の状態に復帰させるための復帰性（「復元性」、「回復性」、「ストレッチ性」ないし「バネ性」とも称呼する）を助長する。この場合、開孔６の縁部の少なくとも一部における繊維密度が他の部位よりも高い構成であればよく、開孔６の縁部のうちの一部の繊維密度が、当該縁部６の他の部位の繊維密度よりも高い構成であってもよいし、或いは開孔６の縁部のうちの一部の繊維密度が、縁部６以外の他の部位の繊維密度よりも高い構成であってもよい。また、開孔６の縁部のうち繊維密度が高い部位は、典型的には、当該縁部のうち短軸６ｂと交差する部位及びその周辺部位に少なくとも合致する。
【００４７】
このスパンレース不織布の製造過程は、より具体的には、カード工程、ウォータージェット工程、開孔ウォータージェット工程、乾燥工程、シュリンク工程からなる。カード工程は、各種繊維の開繊されたものを幅方向に対して均一に目付を合わせて連続的にウェーブを形成する工程とされる。ウォータージェット工程は、ウェーブを高圧水流で交絡させ、シート強度を持たせる工程とされる。開孔ウォータージェット工程は、起伏したもので水が抜ける構造物（ネット・パンチングプレート）の上に交絡したシートを通過させる際に高圧の水流を不織布に吹き付けて開孔を形成させる工程とされる。なお、高圧の水流を不織布に吹き付けるこの開孔ウォータージェット工程にかえて、高圧のスチーム噴流を不織布に吹き付ける工程を採用することもできる。乾燥工程では、シートに含まれている水分を乾燥させて飛ばす工程とされる。シュリンク工程は、捲縮繊維がポリプロピレン／変性ポリプロピレンであれば、変性ポリプロピレンが１４０℃付近で収縮が始まり、もう一方のポリプロピレンは収縮が起こらないのでコイル状になり、その時に不織布の流れ方向と幅方向に収縮が起こる。
【００４８】
このような製造過程において、特にカード工程及びウォータージェット工程により、織布の流れ方向に配向性を有する不織布基体が形成される。また、開孔ウォータージェット工程により、噴射流体（ウォータージェットの水流もしくはスチーム噴流）が不織布基体に噴射され、この噴射流体のあたった部分を繊維がよけることにより、すなわち繊維が押し分けられることにより、不織布に開孔が確実に形成される。このとき、ウォータージェットの水流（もしくは蒸気）が固定されており、一方で不織布基体は移動されているため、開孔は長円形となる。よって、開孔の周辺は、繊維の密度（密集の度合い）が高くなる。この高い密度の繊維がシュリンク工程によりシュリンクされることにより、高いバネ性を有するものとなる。
【００４９】
このような第４の構造を採用することによって、マスク着用時に耳掛け部３ａ，３ｂを耳に引っ掛けるべく当該耳掛け部３ａ，３ｂが左右に引っ張られるとき、開孔６が全体的に図９中の右図のように二点鎖線の状態から実線の状態へと変化し、これにより引っ張り方向（図９中の左右方向）に関し構造上の伸びが生じることとなる。この構造上の伸びによって、耳掛け部３ａ，３ｂを耳に引っ掛けた際に耳に痛みを与えないような伸縮性、すなわち装着快適性を付与することが可能となる。一方で、開孔６の縁部において繊維密度が高められ束ねられた状態の繊維によって、伸長後の耳掛け部３ａ，３ｂの復帰性を助長することができるため、マスクの装着及び脱着を繰り返した場合に、耳掛け部３ａ，３ｂが伸びたままになるのを防止し、これにより着脱耐久性を向上させることが可能となる。従って、マスク装着時の装着快適性向上と着脱耐久性向上の両立を図ることが可能となる。
【００５０】
また、この開孔６は、図９に示すように、マスク折り畳み時において、長い方の軸（長軸６ａ）がマスク本体部２と左側耳掛け部３ａ及び右側耳掛け部３ｂとの間の境界線４ａに平行に延在する開孔を含む構成であるのが好ましい。この場合、境界線４ａと開孔６の延在方向が完全に平行とされた構成であってもよいし、或いは開孔６が境界線４ａに平行な成分を有しつつ延在することによって境界線４ａに概ね平行ないし平行状とされた構成であってもよい。このような構成によれば、耳掛け部３ａ，３ｂの引っ張り方向に関する構造上の伸びが更に生じ易くなり、また伸長後の耳掛け部３ａ，３ｂの復帰性を更に助長することができるため、マスク装着時の装着快適性向上と着脱耐久性向上の両立をより高いレベルで実現することが可能となる。なお、図９に示す実施形態では、複数の開孔６が規則的に配列される場合について記載したが、これら複数の開孔６が不規則的に配列された構成や、これら複数の開孔６に加えて、別の形状の開孔が規則的ないし不規則的に配列された構成等を適宜採用することもできる。
【００５１】
ここで、マスク装着時の装着快適性と着脱耐久性に関しては、耳掛け部３ａ，３ｂを構成する試料を作成し、当該試料の性能評価（引張強度及び伸長回復率の測定・評価）を実施した。以下、この性能評価の手順及び結果に関して説明する。なお、この性能評価として、典型的にはＪＩＳ  Ｌ−１０９６法が参照される。
【００５２】
（試料の作成）
上記構成の耳掛け部３ａ，３ｂと同様の素材を用い、縦２１０［ｍｍ］、横２９７［ｍｍ］、目付け１００．０［ｇ／ｍ２］の試料を３枚採取した。更に、各試料から、幅５０［ｍｍ］、長さ２９７［ｍｍ］のサンプルを、縦、横各方向に関し３枚ずつ採取した。
【００５３】
（引張強度の測定・評価）
引張強度の測定では、公知の定速伸縮型引張試験機によって、幅５０［ｍｍ］、長さ２９７［ｍｍ］の上記サンプルを評価した。この場合の測定条件に関しては、サンプルのつかみ間隔を２００［ｍｍ］、引張速度を２００［ｍｍ／ｍｉｎ］とし、縦方向及び横方向における当該サンプルの５０％伸長時の強度、また縦方向及び横方向における当該サンプルの９０％伸長時の強度を測定し、測定サンプルの平均値を算出した。この場合、５０％伸長時の強度を５０％応力［Ｎ］として規定し、また９０％伸長時の強度を９０％応力［Ｎ］として規定した。そして、５０％応力が１［Ｎ］以下で、且つ９０％応力が１［Ｎ］以下のものが、所望の装着快適性基準を満たすもの、すなわち耳掛け部３ａ，３ｂを耳に引っ掛けた際に耳に痛みを与えないような伸縮性を有するものであると評価した。
【００５４】
（伸長回復率の測定・評価）
伸長回復率の測定では、公知の定速伸縮型引張試験機によって、幅５０［ｍｍ］、長さ２９７［ｍｍ］の上記サンプルを評価した。この場合の測定条件に関しては、サンプルのつかみ間隔を２００［ｍｍ］、引張速度を２００［ｍｍ／ｍｉｎ］とし、当該サンプルを５０％伸長させたのち同速度で原点まで回復させたときの回復度合い（割合）、また当該サンプルを９０％伸長させたのち同速度で原点まで回復させたときの回復度合い（割合）を測定し、測定サンプルの平均値を算出した。この場合、５０％伸長後の回復度合いを５０％伸長回復率［％］として規定し、また９０％伸長後の回復度合いを９０％伸長回復率［％］として規定した。そして、５０％伸長回復率が７０［％］以上で、且つ９０％伸長回復率が６０［％］以上のものが、所望の着脱耐久性基準を満たすもの、すなわち耳掛け部３ａ，３ｂが伸びたままの状態になりにくいものであると評価した。
【００５５】
その評価の結果、上記所望の装着快適性基準及び着脱耐久性基準を両立するためには、耳掛け部３ａ，３ｂを構成する伸縮性繊維の繊維長を４４［ｍｍ］以上とし、且つ開孔６の収縮前の大きさを１０〜５０メッシュとするのが有効であることが確認された。伸縮性繊維の繊維長を４４［ｍｍ］を下回ると、開孔６の収縮前の大きさを大きくしたとしても、応力が基準値を上回る。また、開孔６の収縮前の大きさを５０メッシュよりも大きくすると、伸長回復率が基準値よりも大幅に小さくなり、一方で開孔６の収縮前の大きさを１０メッシュよりも小さくすると、今度は無開孔の状態に近づくこととなり、応力が基準値を大幅に上回ることとなる。
【００５６】
（第５の構造）
マスク１の第５の構造に関しては、図１０〜図１３が参照される。図１０には、本実施の形態のマスク１のマスク折り畳み時における側面図であって、第５の構造を説明する図が示され、図１１には、図１０中のＡ−Ａ線断面に関する構造が示されている。また、図１２及び図１３には、いずれも図１０中の第２のエンボス加工部４ｃの一実施形態が示されている。
【００５７】
この第５の構造は、前記の見直しポイント（６）に対応する解決手段として構成されるものであり、マスク本体部２と耳掛け部３ａ，３ｂとの境界部４におけるエンボス構造を工夫した構成とされる。具体的には、図１０に示すように、耳掛け部３ａ，３ｂは、マスク本体部２と耳掛け部３ａ，３ｂとを互いに接合するべく境界部４の全体にわたって形成された複数の第１のエンボス加工部４ｂに加えて、更に第１のエンボス加工部４ｂとは異なる形状の複数の第２のエンボス加工部４ｃを備えるように構成されている。図１１に示すように、これら第１のエンボス加工部４ｂ及び第２のエンボス加工部４ｃは、いずれも凹凸形状を有するエンボスローラーによって凹状に加工された部位とされる。特に、本実施の形態の第１のエンボス加工部４ｂは、マスク本体部２と耳掛け部３ａ，３ｂとの接合強度を高める機能を有する。
【００５８】
また、本実施の形態の第２のエンボス加工部４ｃは、マスク本体部２と耳掛け部３ａ，３ｂとの接合機能に加えて、更にマスク１の上下方向を識別可能に表示する表示部として機能を備える。ここでいう第２のエンボス加工部４ｃが、本発明における「表示部」を構成している。第２のエンボス加工部４ｃによるこの表示形態に関しては、単一の第２のエンボス加工部４ｃによって、マスク１の上下方向に関する情報を表示する第１の表示態様であってもよいし、複数の第２のエンボス加工部４ｃを組み合わせることによって、マスク１の上下方向に関する情報を表示する第２の表示態様であってもよい。この場合、マスク１の上下方向に関する情報を表示可能な文字、記号、模様、図柄などを適宜用いることができる。
【００５９】
上記第１の表示態様に関しては、図１２に示すように、第２のエンボス加工部４ｃに「上向き矢印」を表示する形態を採用することによって、矢印の先が上を向くようにマスク１を設定することでマスク１の上下方向が定まることとなる。また、上記第２の表示態様に関しては、図１３に示すように、上側から下側の第２のエンボス加工部４ｃの順で「Ａ」〜「Ｅ」を表示する形態を採用することによって、「Ａ」が表示された第２のエンボス加工部４ｃを最上部に配置し、「Ｅ」が表示された第２のエンボス加工部４ｃを最下部に配置するようにマスク１を設定することでマスク１の上下方向が定まることとなる。
【００６０】
このような第５の構造を採用することによって、マスク１の上下方向を着用者に容易に識別させることが可能となるとともに、接合用のエンボス加工部分を表示部として兼用することで新たな表示部を設ける必要がなく、製造コスト低減を図るのに有効とされる。また、第２のエンボス加工部４ｃとして、子供の興味を引きやすい表示形態、例えば特定のキャラクターなどを採用することによって、とりわけ着用者が子供である場合に、マスクに対する子供の興趣を高めることが可能となる。
【００６１】
なお、マスク本体部２と耳掛け部３ａ，３ｂとの境界部４におけるエンボス構造によって、マスク１の上下方向に関する情報を表示する以外に、この境界部４に代えて或いは加えて、マスク本体部２や耳掛け部３ａ，３ｂの外表面に、エンボス構造やその他の表示構造（例えば印字構造）によってマスク１の上下方向に関する情報を表示することもできる。
【００６２】
（第６の構造）
マスク１の第６の構造に関しては、図１４が参照される。図１４には、本実施の形態のマスク１の第６の構造を説明する図が示されている。
【００６３】
この第６の構造は、前記の見直しポイント（６）に対応する解決手段として構成されるものであり、マスク本体部２の外表面に装飾用の被着部材（「シール部材」とも称呼する）を設けるとともに、この被着部材の構造を工夫した構成とされる。具体的には、図１４に示すように、台紙Ｓ上の被着部材Ｓ１〜Ｓ４を、パズル状に適正に配置してスク本体部２の外表面に被着することで、マスク本体部２の外表面全体が被着部材Ｓ１〜Ｓ４によってほぼ完全に覆われるように構成されている。換言すれば、被着部材Ｓ１〜Ｓ４の適正な配置により、被着部材Ｓ１〜Ｓ４全体によって形成される形状が、マスク本体部２の外表面全体の形状に概ね合致した状態を完成させることが可能となる。なお、これら被着部材Ｓ１〜Ｓ４は、マスク着用時において着用者の息苦しさが生じることのないような空気透過性を備えた構成であるのが好ましい。
【００６４】
このような第６の構造を採用することによって、とりわけ着用者が子供である場合に、マスクに対する子供の興趣を高めるとともに、被着部材Ｓ１〜Ｓ４をパズル状に組み合わせて目的の形状を形成させるという達成感を付与することができ、これにより子供の知育に関する機能を得ることが可能となる。また、子供の興味を引きやすい表示、例えば特定のキャラクターなどを各被着部材に表示した構成を採用するのが好ましい。この場合、被着部材Ｓ１〜Ｓ４のそれぞれに対し同一の表示または異なる表示を行うように構成してもよいし、或いは被着部材Ｓ１〜Ｓ４のうちの複数の被着部材が適正に配置されることで、各被着部材における表示が互いに組み合わせられて結果的に単一の表示が形成されるように構成することもできる。このような構成によれば、とりわけ着用者が子供である場合に、マスクに対する子供の興趣を高めることが可能となる。
【００６５】
上記構成のマスク１を、着用者としての子供が着用した状態に関しては、図１５が参照される。図１５には、本実施の形態のマスク１を子供が着用したマスク着用状態を側面からみた様子が示される。
【００６６】
図１５に示すように、本実施の形態のマスク１は、子供の顔に包括的にフィットする構成とされる。例えば、マスク本体部２の上端部における横幅を下端部における横幅よりも狭くして、マスク本体部２の上端部側が着用者の鼻により面接触し易くしているため、フィット感を高め、とりわけ子供や小顔の人のように鼻が低く頬が高いような着用者のマスク着用時に、当該マスクが適正な着用位置からずれるのを防止するのに効果的である。なお、一般的な大人において鼻の部位のフィット感を向上させたいという要請に対しては、少なくとも前述の第１の構造を備えた、本実施の形態のマスク１を相似状に拡大した形状のマスクを提供することによって対応が可能となる。
また、例えば、マスク本体部２の頂部、すなわち縁部２ｃの頂部をマスク１の上下方向に関する下側に配設することによって、立体状のマスク本体部２と着用者の口との間に口元空間７を確実に形成させることができ、これにより息苦しさ等の不快感を解消するのに効果的である。
また、例えば、左側耳掛け部３ａ及び右側耳掛け部３ｂの耳掛け穴５を、マスク本体部２の上端部に対し相対的に低い部位に配設することで、とりわけ子供や小顔の人のように耳の位置が低い着用者のマスク着用時に、当該マスクを適正な着用位置に設定するのに効果的である。
また、例えば、左側耳掛け部３ａ及び右側耳掛け部３ｂのそれぞれに複数の開孔６を設けることで、引っ張り方向に関し構造上の伸びを生じさせて、耳掛け部３ａ，３ｂを耳に引っ掛けた際に耳に痛みを与えないような装着快適性を付与するとともに、開孔６の縁部において繊維密度が高められ束ねられた状態の繊維によって、伸長後の左側耳掛け部３ａ及び右側耳掛け部３ｂの復帰性を助長することで、左側耳掛け部３ａ及び右側耳掛け部３ｂが伸びたままになるのを防止するような着脱耐久性を付与するのに効果的である。
【００６７】
（他の実施の形態）
なお、本発明は上記の実施の形態のみに限定されるものではなく、種々の応用や変形が考えられる。例えば、上記実施の形態を応用した次の各形態を実施することもできる。
【００６８】
上記実施の形態においては、第１〜第６の構造を兼ね備えたマスク１について記載したが、本発明では、第１〜第６の構造のうちの少なくとも１つの機能が付与されたマスクを採用することができる。
【００６９】
また、上記実施の形態においては、左側シート部２ａ及び右側シート部２ｂの熱溶着接合によってマスク本体部２が形成される場合について記載したが、本発明では熱溶着をはじめとする各種の接合方法によって少なくとも１つの複数のシート部の全部または一部を接合して、マスク本体部を形成することができる。
【図面の簡単な説明】
【００７０】
【図１】本実施の形態のマスク１のマスク折り畳み時における側面図である。
【図２】図１中のマスク１を立体状に拡開したマスク拡開時において、当該マスク１を着用者側からみた図である。
【図３】本実施の形態のマスク１のマスク折り畳み時における側面図であって、第１の構造を説明する図である。
【図４】図３中のマスク１をマスク拡開時において着用者側からみた図であって、第１の構造を説明する図である。
【図５】本実施の形態のマスク１のマスク折り畳み時における側面図であって、第２の構造を説明する図である。
【図６】図５中のマスク１をマスク拡開時において着用者側からみた図であって、第２の構造を説明する図である。
【図７】本実施の形態のマスク１のマスク折り畳み時における側面図であって、第３の構造を説明する図である。
【図８】図７中のマスク１をマスク拡開時において着用者側からみた図であって、第３の構造を説明する図である。
【図９】本実施の形態のマスク１のマスク折り畳み時における耳掛け部３ａ，３ｂの側面図であって、第４の構造を説明する図である。
【図１０】本実施の形態のマスク１のマスク折り畳み時における側面図であって、第５の構造を説明する図である。
【図１１】図１０中のＡ−Ａ線断面に関する構造を示す図である。
【図１２】図１０中の第２のエンボス加工部４ｃの一実施形態を示す図である。
【図１３】図１０中の第２のエンボス加工部４ｃの一実施形態を示す図である。
【図１４】本実施の形態のマスク１の第６の構造を説明する図である。
【図１５】本実施の形態のマスク１を子供が着用したマスク着用状態を側面からみた様子を示す図である。
【符号の説明】
【００７１】
１…マスク
２…マスク本体部
２ａ…左側シート部
２ｂ…右側シート部
２ｃ…縁部
３…耳掛け部
３ａ…左側耳掛け部
３ｂ…右側耳掛け部
４…境界部
４ａ…境界線
４ｂ…第１のエンボス加工部
４ｃ…第２のエンボス加工部
５…耳掛け穴
６…開孔
６ａ…長軸
６ｂ…短軸
７…口元空間
【図１】
2008093428.tif 000003
【図２】
2008093428.tif 000004
【図３】
2008093428.tif 000005
【図４】
2008093428.tif 000006
【図５】
2008093428.tif 000007
【図６】
2008093428.tif 000008
【図７】
2008093428.tif 000009
【図８】
2008093428.tif 000010
【図９】
2008093428.tif 000011
【図１０】
2008093428.tif 000012
【図１１】
2008093428.tif 000013
【図１２】
2008093428.tif 000014
【図１３】
2008093428.tif 000015
【図１４】
2008093428.tif 000016
【図１５】
2008093428.tif 000017
【手続補正書】
【提出日】平成20年2月7日(2008.2.7)
【手続補正１】
【補正対象書類名】特許請求の範囲
【補正対象項目名】全文
【補正方法】変更
【補正の内容】
【特許請求の範囲】
【請求項１】
不織布からなる左側シート部及び右側シート部によって形成され、着用者の少なくとも口及び鼻を覆うマスク本体部と、
前記マスク本体部の両側から延出して形成され、着用者の耳に引っ掛けられる耳掛け穴を有する左側耳掛け部及び右側耳掛け部と、
を備え、
前記マスク本体部の前記左側シート部及び右側シート部が互いに重ね合わせられたマスク折り畳み時に平面状とされる一方、マスク着用時に立体状とされる構成のマスクであって、
前記マスク折り畳み時において、前記マスク本体部と前記左側耳掛け部及び右側耳掛け部との間の境界線に直交し、当該境界線と前記左側シート部及び右側シート部間の縁部との間を結んで形成される延在線のうち、前記境界線の上端部に形成される第１の延在線の長さが、前記境界線の下端部に形成される第２の延在線の長さよりも短くなるように構成されていることを特徴とするマスク。
【請求項２】
請求項１に記載のマスクであって、
更に、前記マスク折り畳み時において、前記延在線のうち、延在長さが最長とされる最長延在線が、前記境界線の上端部と下端部との中点部に形成される延在線よりも下方に配設される構成であることを特徴とするマスク。
【請求項３】
請求項１または２に記載のマスクであって、
更に、前記マスク折り畳み時において、前記マスク本体部と前記左側耳掛け部及び右側耳掛け部との間の境界線の上端部と、前記左側シート部と前記右側シート部との間の縁部の上端部とを結ぶ延在線よりも下方に、前記耳掛け穴が配設される構成であることを特徴とするマスク。
【請求項４】
不織布からなる左側シート部及び右側シート部によって形成され、着用者の少なくとも口及び鼻を覆うマスク本体部と、
前記マスク本体部の両側から延出して形成され、着用者の耳に引っ掛けられる耳掛け穴を有する左側耳掛け部及び右側耳掛け部と、
を備え、
前記マスク本体部の前記左側シート部及び右側シート部が互いに重ね合わせられたマスク折り畳み時に平面状とされる一方、マスク着用時に立体状とされる構成のマスクであって、
前記マスク折り畳み時において、前記マスク本体部と前記左側耳掛け部及び右側耳掛け部との間の境界線に直交し、当該境界線と前記左側シート部及び右側シート部間の縁部との間を結んで形成される延在線のうち、延在長さが最長とされる最長延在線が、前記境界線の上端部と下端部との中点部に形成される延在線よりも下方に配設される構成であることを特徴とするマスク。
【請求項５】
請求項４に記載のマスクであって、
更に、前記マスク折り畳み時において、前記マスク本体部と前記左側耳掛け部及び右側耳掛け部との間の境界線の上端部と、前記左側シート部と前記右側シート部との間の縁部の上端部とを結ぶ延在線よりも下方に、前記耳掛け穴が配設される構成であることを特徴とするマスク。
【請求項６】
不織布からなる左側シート部及び右側シート部によって形成され、着用者の少なくとも口及び鼻を覆うマスク本体部と、
前記マスク本体部の両側から延出して形成され、着用者の耳に引っ掛けられる耳掛け穴を有する左側耳掛け部及び右側耳掛け部と、
を備え、
前記マスク本体部の前記左側シート部及び右側シート部が互いに重ね合わせられたマスク折り畳み時に平面状とされる一方、マスク着用時に立体状とされる構成のマスクであって、
前記マスク折り畳み時において、前記マスク本体部と前記左側耳掛け部及び右側耳掛け部との間の境界線の上端部と、前記左側シート部と前記右側シート部との間の縁部の上端部とを結ぶ延在線よりも下方に、前記耳掛け穴が配設される構成であることを特徴とするマスク。
【請求項７】
請求項１〜６のうちのいずれか１項に記載のマスクであって、
前記マスク本体部、前記耳掛け部、及び前記マスク本体部と前記左側耳掛け部及び右側耳掛け部との境界部のうちの少なくとも１つは、マスクの上下方向を識別可能に表示する表示部を備える構成であることを特徴とするマスク。
【請求項８】
不織布からなる左側シート部及び右側シート部によって形成され、着用者の少なくとも口及び鼻を覆うマスク本体部と、
前記マスク本体部の両側から延出して形成され、着用者の耳に引っ掛けられる耳掛け穴を有する左側耳掛け部及び右側耳掛け部と、
を備え、
前記マスク本体部の前記左側シート部及び右側シート部が互いに重ね合わせられたマスク折り畳み時に平面状とされる一方、マスク着用時に立体状とされる構成のマスクであって、
前記マスク本体部の外表面に被着される装飾用のシール部材を更に備える構成のマスク。
【請求項９】
不織布からなる左側シート部及び右側シート部によって形成され、着用者の少なくとも口及び鼻を覆うマスク本体部と、
前記マスク本体部の両側から延出して形成され、着用者の耳に引っ掛けられる耳掛け穴を有する左側耳掛け部及び右側耳掛け部と、
前記マスク本体部の外表面に被着された装飾用のシール部材と、
を備え、
前記マスク本体部の前記左側シート部及び右側シート部が互いに重ね合わせられたマスク折り畳み時に平面状とされる一方、マスク着用時に立体状とされる構成のマスク。
【手続補正２】
【補正対象書類名】明細書
【補正対象項目名】全文
【補正方法】変更
【補正の内容】
【発明の詳細な説明】
【技術分野】
【０００１】
本発明は、着用者の顔に装着されるマスクの構築技術に関するものである。
【背景技術】
【０００２】
従来、例えば下記特許文献１には、着用者の口及び鼻を覆うマスク、とりわけ立体マスクが開示されている。この立体マスクは、マスク着用時に立体状とされ、これによりマスク本体部と着用者の口との間に口元空間が形成されるため、息苦しさ等の不快感を解消することができる。ところで、この種のマスクの設計・開発に際しては、着用者に対するフィット感を高めることが重要となるが、その前提として、着用者の顔の大きさや形状等の特徴や、マスクを取り扱う際の着用者の特性などを十分に考慮することが必要となる。例えば、鼻が低く頬が高い人や、耳の位置が低い人などの着用者に対し、一般的な大人用のマスクを適用する場合には、マスク着用時に当該マスクが適正な着用位置からずれたり、着用者の口元空間を確保できなくなるような現象が想定され、マスク本来の機能を全うできないという問題が生じる。また、例えば、子供や小顔の人のためのマスクを提供する場合に、一般的な大人用のマスクを単に相似状に縮小して小型化するのみでは、当該着用者の顔の特徴を十分に反映するのに限界がある。
【特許文献１】特開平７−２７５３８４号公報
【発明の開示】
【発明が解決しようとする課題】
【０００３】
そこで、本発明は、かかる点に鑑みてなされたものであり、着用者の顔に包括的にフィットするマスクを提供することを課題とする。
【課題を解決するための手段】
【０００４】
上記課題を達成するため、各請求項に記載の発明が構成される。
【０００５】
本発明に係るマスクは、着用者の顔に装着されるマスクであって、マスク本体部、左側耳掛け部及び右側耳掛け部を少なくとも備える。ここでいう「マスク」は、一回使用ないし数回使用を目安とした使い捨てタイプのものであってもよいし、或いは洗濯などを行ったうえで繰り返し使用することが可能なタイプのものであってもよい。また、このマスクは、典型的には、未就学の幼児をはじめ、小学生、中学生などを含む子供や、小顔の大人などの着用者に対して好適に使用することができるが、当該マスクを相似状に拡大した形状のマスクを構成することによって、一般的な大人などの着用者に対しても同様に使用可能とされる。
【０００６】
マスク本体部は、不織布からなる左側シート部及び右側シート部によって形成され、着用者の少なくとも口及び鼻を覆う部位として構成される。これにより、マスク着用時には、マスク本体部と着用者の口との間に口元空間が形成されることとなる。このマスク本体部は、１または複数のシート部或いはシート片によって形成することが可能とされる。典型的には、１つのシート部或いはシート片を部分的に接合することによって、或いは複数のシート部或いはシート片の全部または一部を連接状に接合することによって、マスク本体部が形成される。このマスク本体部を形成する左側シート部及び右側シート部は、典型的には機械的、化学的、熱的などの処理によって繊維を固着したり絡み合わせたりして作られるシート状の構成物であり、典型的には熱溶融性繊維（熱可塑性繊維）を一部に含み融着（溶着）が可能な不織布によって構成される。
左側耳掛け部及び右側耳掛け部は、マスク本体部の両側から延出して形成され、着用者の耳に引っ掛けられる耳掛け穴を有する構成とされる。これら左側耳掛け部及び右側耳掛け部は、マスク本体部と別体構造であってもよいし、或いはマスクの一部として一体構造であってもよい。
本構成のマスクは、マスク本体部の左側シート部及び右側シート部が互いに重ね合わせられたマスク折り畳み時（「マスク収納時」ないし「マスク未使用時」とも称呼する）に平面状とされる一方、マスク着用時に立体状とされる。
【０００７】
特に本構成のマスクでは、マスク折り畳み時において、マスク本体部と左側耳掛け部及び右側耳掛け部との間の境界線に直交し、当該境界線と左側シート部及び右側シート部間の縁部との間を結んで形成される延在線のうち、境界線の上端部に形成される第１の延在線の長さが、境界線の下端部に形成される第２の延在線の長さよりも短くなるように構成されている。要するに、マスク本体部の左右方向の横幅に関し、上端部における横幅が下端部における横幅よりも狭くなるように構成される。本構成では、マスクを立体状に拡開した状態において、着用者側或いはその反対側からみたマスク本体部は、上端部側を短辺とし下端部側を長辺とする台形状とされ、或いはその左右両端部によって概ね「ハ」字形状を形成することとなる。なお、マスク本体部と左側耳掛け部及び右側耳掛け部との間の境界線に関しては、当該境界線が直線状に構成されるのが好ましい。一方で、この境界線が曲線状に構成される場合には、曲線状の当該境界線の端部同士を結ぶ直線を、マスク本体部と左側耳掛け部及び右側耳掛け部との間の境界線として規定することもできる。
【０００８】
本発明に係るマスクのこのような構成によれば、マスク本体部の上端部における横幅を下端部における横幅よりも狭くすることで、マスク本体部の上端部側が着用者の鼻により面接触し易くなるため、とりわけ子供や小顔の人のように鼻が低く頬が高いような着用者のマスク着用時に、当該マスクが適正な着用位置からずれるのを防止することが可能となる。従って、着用者に対するマスクのフィット感向上を図ることが可能となる。
【０００９】
また、本発明に係る更なる形態のマスクは、更に、前記のマスク折り畳み時において、マスク本体部と左側耳掛け部及び右側耳掛け部との間の境界線に直交し、当該境界線と左側シート部及び右側シート部間の縁部との間を結んで形成される延在線のうち、延在長さが最長とされる最長延在線が、境界線の上端部と下端部との中点部に形成される延在線よりも下方に配設される構成であるのが好ましい。要するに、更なる構成として、マスク本体部の頂部、すなわち口覆い部の頂部が、マスクの上下方向に関し真中よりも下側に配置する構成を採用している。
【００１０】
このような構成によれば、マスクが適正な着用位置からずれるのを防止するとともに、マスク本体部の頂部を真中よりも下側に配置することで、とりわけ子供や小顔の人のように鼻先と口先（唇）との高さの差が小さい着用者のマスク着用時に、着用者の口元空間を増大させることが可能となる。
【００１１】
また、本発明に係る更なる形態のマスクは、更に、前記のマスク折り畳み時において、マスク本体部と左側耳掛け部及び右側耳掛け部との間の境界線の上端部と、左側シート部と右側シート部との間の縁部の上端部とを結ぶ延在線よりも下方に、耳掛け穴が配設される構成であるのが好ましい。要するに、更なる構成として、左側耳掛け部及び右側耳掛け部の耳掛け穴を、マスク本体部の上端部に対し相対的に低い部位に配設する構成を採用している。
【００１２】
このような構成によれば、マスクが適正な着用位置からずれるのを防止するとともに、左側耳掛け部及び右側耳掛け部の耳掛け穴を、マスク本体部の上端部に対し相対的に低い部位に配設することで、とりわけ子供や小顔の人のように耳の位置が低い着用者のマスク着用時に、当該マスクを適正な着用位置に設定することが可能となる。また、このような構成によれば、左側耳掛け部及び右側耳掛け部の上下の長さ、すなわち左側耳掛け部及び右側耳掛け部のうち耳掛け穴を挟んで上側の部位の長さと下側の部位の長さに関し、上側の部位の長さと下側の部位の長さが概ね等しいか、或いは上側の部位の長さが下側の部位の長さよりも若干長くなる。従って、左側耳掛け部及び右側耳掛け部を左右に多少強く引っ張っても、上側の部位及び下側の部位が概ね同様に伸びることとなり、バランスの良い装着性能を確保するとともに、局所的に力が作用するのを防止することが可能となる。
【００１３】
また、本発明に係る別の形態のマスクは、不織布からなる左側シート部及び右側シート部によって形成され、着用者の少なくとも口及び鼻を覆うマスク本体部と、マスク本体部の両側から延出して形成され、着用者の耳に引っ掛けられる耳掛け穴を有する左側耳掛け部及び右側耳掛け部と、を備え、マスク本体部の左側シート部及び右側シート部が互いに重ね合わせられたマスク折り畳み時に平面状とされる一方、マスク着用時に立体状とされる構成のマスクとされる。このマスクは、マスク折り畳み時において、マスク本体部と左側耳掛け部及び右側耳掛け部との間の境界線に直交し、当該境界線と左側シート部及び右側シート部間の縁部との間を結んで形成される延在線のうち、延在長さが最長とされる最長延在線が、境界線の上端部と下端部との中点部に形成される延在線よりも下方に配設される構成とされる。要するに、マスク本体部の頂部、すなわち口覆い部の頂部が、マスクの上下方向に関し真中よりも下側に配置する構成とされる。
【００１４】
本発明に係るマスクのこのような構成によれば、マスク本体部の頂部を真中よりも下側に配置することで、とりわけ子供や小顔の人のように鼻先と口先（唇）との高さの差が小さい着用者のマスク着用時に、着用者の口元空間を増大させることが可能となる。
【００１５】
また、本発明に係る更なる形態のマスクは、更に、前記のマスク折り畳み時において、マスク本体部と左側耳掛け部及び右側耳掛け部との間の境界線の上端部と、左側シート部と右側シート部との間の縁部の上端部とを結ぶ延在線よりも下方に、耳掛け穴が配設される構成であるのが好ましい。要するに、更なる構成として、左側耳掛け部及び右側耳掛け部の耳掛け穴を、マスク本体部の上端部に対し相対的に低い部位に配設する構成を採用している。
【００１６】
このような構成によれば、着用者の口元空間を増大させるとともに、左側耳掛け部及び右側耳掛け部の耳掛け穴を、マスク本体部の上端部に対し相対的に低い部位に配設することで、とりわけ子供や小顔の人のように耳の位置が低い着用者のマスク着用時に、当該マスクを適正な着用位置に設定することが可能となる。また、左側耳掛け部及び右側耳掛け部の上下の長さに関し、上側の部位の長さと下側の部位の長さが概ね等しいか、或いは上側の部位の長さが下側の部位の長さよりも若干長くなるため、左側耳掛け部及び右側耳掛け部を左右に多少強く引っ張っても、上側の部位及び下側の部位が概ね同様に伸びることとなり、バランスの良い装着性能を確保するとともに、局所的に力が作用するのを防止することが可能となる。
【００１７】
また、本発明に係る別の形態のマスクは、不織布からなる左側シート部及び右側シート部によって形成され、着用者の少なくとも口及び鼻を覆うマスク本体部と、マスク本体部の両側から延出して形成され、着用者の耳に引っ掛けられる耳掛け穴を有する左側耳掛け部及び右側耳掛け部と、を備え、マスク本体部の左側シート部及び右側シート部が互いに重ね合わせられたマスク折り畳み時に平面状とされる一方、マスク着用時に立体状とされる構成のマスクとされる。このマスクは、マスク折り畳み時において、マスク本体部と左側耳掛け部及び右側耳掛け部との間の境界線の上端部と、左側シート部と右側シート部との間の縁部の上端部とを結ぶ延在線よりも下方に、耳掛け穴が配設される構成とされる。要するに、左側耳掛け部及び右側耳掛け部の耳掛け穴を、マスク本体部の上端部に対し相対的に低い部位に配設する構成とされる。
【００１８】
本発明に係るマスクのこのような構成によれば、左側耳掛け部及び右側耳掛け部の耳掛け穴を、マスク本体部の上端部に対し相対的に低い部位に配設することで、とりわけ子供や小顔の人のように耳の位置が低い着用者のマスク着用時に、当該マスクを適正な着用位置に設定することが可能となる。また、左側耳掛け部及び右側耳掛け部の上下の長さに関し、上側の部位の長さと下側の部位の長さが概ね等しいか、或いは上側の部位の長さが下側の部位の長さよりも若干長くなるため、左側耳掛け部及び右側耳掛け部を左右に多少強く引っ張っても、上側の部位及び下側の部位が概ね同様に伸びることとなり、バランスの良い装着性能を確保するとともに、局所的に力が作用するのを防止することが可能となる。
【００１９】
また、本発明に係る更なる形態のマスクでは、前記のマスク本体部、前記の耳掛け部、及び前記のマスク本体部と前記の左側耳掛け部及び右側耳掛け部との境界部のうちの少なくとも１つは、マスクの上下方向を識別可能に表示する表示部を備える構成であるのが好ましい。このような構成によれば、マスクの上下方向を表示部によって着用者に容易に識別させることが可能となる。この表示部の具体的な構成に関しては、典型的には、接合用のエンボス構造によって文字、記号、模様、図柄などをあわわす構成や、印字構造などを用いることが可能である。
【００２０】
本発明に係る別の形態のマスクは、前記のマスク本体部、左側耳掛け部及び右側耳掛け部を備える構成のマスクと同様の構成とされ、マスク本体部の外表面に被着される装飾用のシール部材を更に備える構成とされる。また、本発明に係る更なる別の形態のマスクは、前記のマスク本体部、左側耳掛け部及び右側耳掛け部を備える構成のマスクと同様の構成とされ、マスク本体部の外表面に被着された装飾用のシール部材を更に備える構成とされる。ここでいう装飾用のシール部材は、子供の興味を引きやすい表示、例えば特定のキャラクターなどが表示された被着部材として構成されるのが好ましい。このような構成によれば、装飾用のシール部材によってマスクに対する興趣を高めることが可能となる。
【発明の効果】
【００２１】
以上のように、本発明によれば、着用者の顔に包括的にフィットするマスクを提供することが可能となった。
【発明を実施するための最良の形態】
【００２２】
以下、本発明における「マスク」の一実施の形態であるマスク１につき、図１〜図１５を参照しつつ詳細に説明する。このマスク１は、１回ないし数回の使用を想定した使い捨てマスクとして構成される。花粉対策や風邪などのウイルス対策としてのバリア機能のみならず、口元や鼻腔の空間内おける保湿をはじめ、空間内環境における各種の機能付加を想定したマスクとして用いることができる。また、このマスク１は、典型的には、未就学の幼児をはじめ、小学生、中学生などを含む子供や、小顔の大人などの着用者に対し好適に使用することができるが、当該マスク１を相似状に拡大した形状のマスクを構成することによって、一般的な大人などの着用者に対しても同様に使用可能である。
【００２３】
まず、本実施の形態のマスク１の全体構成に関しては、図１及び図２が参照される。図１には、本実施の形態のマスク１のマスク折り畳み時における側面図が示され、また図２には、図１中のマスク１を立体状に拡開したマスク拡開時において、当該マスク１を着用者側からみた図が示される。これら図１及び図２に示すように、本実施の形態のマスク１は、マスク本体部２及び耳掛け部３に大別される。ここでいうマスク本体部２が、本発明における「マスク本体部」に相当する。
【００２４】
（マスク本体部２の構成）
マスク本体部２は、マスク１の各部位のうち着用者の口及び鼻を覆う部位として構成される。このマスク本体部２は、全体としてカップ形状とされた部位であり、また着用者の少なくとも口を覆う部位であり、「カップ部」或いは「口覆い部」とも称呼される。本実施の形態では、マスク本体部２は、図１及び図２に示すように、着用者の左顔面を覆うシート片状の左側シート部２ａと、着用者の右顔面を覆うシート片状の右側シート部２ｂからなる。これら左側シート部２ａ及び右側シート部２ｂが、縁部２ｃにおいて熱溶着によって互いに連接状に接合されることによって、マスク１を立体状に拡開した状態において、マスク本体部２の着用者側の着用面が凹み形状とされる。左側シート部２ａ及び右側シート部２ｂの接合部分に形成される縁部２ｃは、着用者の上下方向に関し曲線状に延在しており、マスク本体部２は、この縁部２ｃを境界として左右に二分される。ここでいう左側シート部２ａが、本発明における「左側シート部」に相当し、またここでいう右側シート部２ｂが、本発明における「右側シート部」に相当する。
【００２５】
また、マスク本体部２は、マスク着用の際に、図１に示すように左側シート部２ａと右側シート部２ｂが互いに離間した拡開状態に設定されて立体状に設定される一方、マスク折り畳み時（「マスク収納時」ないし「マスク未使用時」とも称呼する）においては、左側シート部２ａと右側シート部２ｂが互いに重ね合わせられた折り畳み状態（平面状）に設定される。なお、このマスク本体部２は、少なくともマスク着用時に立体状とされればよく、マスク着用時のみならずマスク着用前においても同様に立体状とされてもよい。立体形状或いは三次元形状を形成可能なこのマスク本体部２を備えるマスク１は、「立体マスク」ないし「三次元マスク」とも称呼される。
【００２６】
本実施の形態において、マスク本体部２、すなわち左側シート部２ａ及び右側シート部２ｂは、いずれも熱可塑性合成繊維の不織布を用いて形成されている。この熱可塑性繊維としては、ポリエチレン、ポリプロピレン、ポリエチレンテレフタレート等を使用し、エアースルー法、スパンボンド法、サーマルボンド法、スパンレース法、ポイントボンド法、メルトブロー法、ステッチボンド法、ケミカルボンド法、ニードルパンチ法等により製造された、目付けが３０〜１５０［ｇ／ｍ２］のものを適宜使用することができる。また、この不織布は、花粉・飛沫ウィルスの捕集性と、通気性を有し、肌触りが良く着用感の良い感触のものであり、且つ顔に被着されたときに立体構造が保持され易くなるように、耳掛け部３よりも伸縮性の低い低伸縮性とされるのが好ましい。ここでいう不織布が、本発明における「不織布」に相当する。
【００２７】
（耳掛け部３の構成）
耳掛け部３は、マスク本体部２の左右両側、すなわち左側シート部２ａ及び右側シート部２ｂの各々に対応する左側耳掛け部３ａ及び右側耳掛け部３ｂを備える構成とされる。ここでいう左側耳掛け部３ａが、本発明における「左側耳掛け部」に相当し、また右側耳掛け部３ｂが、本発明における「左側耳掛け部」に相当する。左側耳掛け部３ａは左側シート部２ａの端部から延出し、また右側耳掛け部３ｂは右側シート部２ｂの端部から延出しており、左側耳掛け部３ａ及び右側耳掛け部３ｂは、いずれも着用者の耳に引っ掛けられる耳掛け穴（開口）５を備えるリング状とされる。耳掛け穴５は、マスク１の上下方向（図１中の上下方向）と交差する方向に長手状に延在している。この耳掛け穴５が、本発明における「耳掛け穴」に相当する。
【００２８】
左側耳掛け部３ａ及び右側耳掛け部３ｂは、いずれもマスク本体部２とは別体構造とされ、境界部４においてマスク本体部２と部分的に重ね合わせられて互いに接合された構成とされる。詳細については後述するが、この接合構造に関しては、凹凸形状を有するエンボスローラーを用いて接合を行ういわゆる「エンボス加工」を用いることができる。なお、必要に応じては、左側耳掛け部３ａ及び右側耳掛け部３ｂを、マスク１の一部としてマスク本体部２と一体構造とすることもできる。
【００２９】
マスク着用時には、着用者の顔、特には鼻及び口をマスク本体部２によって覆った状態で、左側耳掛け部３ａ及び右側耳掛け部３ｂの耳掛け穴５が、着用者の耳に引っ掛けられる。このとき、左側耳掛け部３ａ及び右側耳掛け部３ｂは、いずれもマスク本体部２と同様に熱可塑性合成繊維の不織布であって、且つ耳に痛みを与えないような伸縮性、例えばマスク本体部２よりも伸縮性の高い高伸縮性を有するのが好ましい。具体的には、左側耳掛け部３ａ及び右側耳掛け部３ｂの構成として、非弾性的に伸長可能な伸長性繊維からなる伸長層（例えば、プロピレン連続繊維が互いに溶着された不織布）と、弾性伸縮可能な弾性伸縮性繊維からなる弾性層（例えば、熱可塑性合成繊維のエラストラマーやウレタン等からなる弾性糸を使用した不織布）が互いに積層された構成を好適に用いることができる。また、詳細については後述するが、左側耳掛け部３ａ及び右側耳掛け部３ｂには、それぞれマスク着用時における伸び易さ及び回復し易さを両立するのに有効な複数の開孔（開口）６が設けられている。
【００３０】
ところで、上記構成のマスク１の類のマスクの設計・開発に際しては、着用者に対するフィット感を高めることが重要となるが、その前提として、着用者の顔の大きさや形状等の特徴や、マスクを取り扱う際の着用者の特性などを十分に考慮することが必要となる。例えば、鼻が低く頬が高い人や、耳の位置が低い人などの着用者に対し、一般的な大人用のマスクを適用する場合には、マスク着用時に当該マスクが適正な着用位置からずれたり、着用者の口元空間を確保できなくなるような現象が想定され、マスク本来の機能を全うできないという問題が生じる。また、例えば、子供や小顔の人のためのマスクを提供する場合に、一般的な大人用のマスクを単に相似状に縮小して小型化するのみでは、当該着用者の顔の特徴を十分に反映するのに限界がある。
【００３１】
そこで、本発明者らは、子供の顔の特徴や子供の特性に着目し、マスク１を構成するマスク本体部２及び耳掛け部３ａ，３ｂの構造を、子供の顔の特徴や子供の特性に対応するように全般的に見直すこととした。その際、以下のような６つの見直しポイントに着目した。
（１）子供の顔の形状に関し、一般的な大人よりも鼻が低く頬が高い（盛り上がっている）。また、鼻は一般的な大人よりも丸みを帯びた傾向にある。
（２）子供の顔の形状に関し、一般的な大人に比べて鼻先と口先（唇）との高さの差が小さい。
（３）子供の顔の形状に関し、一般的な大人に比べて耳の位置が低い。
（４）子供の特性に関し、よくしゃべるためマスクが適正な着用位置からずれやすい。
（５）子供の特性に関し、マスク着用時に力加減が上手くいかず、耳掛け部を大きく引っ張って取り付ける傾向があるため、耳掛け部が伸び易い。
（６）子供の特性に関し、飽きっぽくマスクに興味を持ちにくい。
【００３２】
本発明者らは、これらの見直しポイントに基づいて、特に子供などの着用者に最適なマスクの構造について鋭意検討した。その検討の結果、本発明者らは、以下に示す第１〜第６の構造のうちの少なくとも１つを備えるマスクを構成することによって、子供などの着用者に最適なマスクを構築することが可能となった。ここで、このマスクの具体的な構造（第１〜第６の構造）を、図３〜図１４を参照しつつ詳細に説明する。
【００３３】
（第１の構造）
マスク１の第１の構造に関しては、図３及び図４が参照される。図３には、本実施の形態のマスク１のマスク折り畳み時における側面図であって、第１の構造を説明する図が示され、図４には、図３中のマスク１をマスク拡開時において着用者側からみた図であって、第１の構造を説明する図が示されている。
【００３４】
この第１の構造は、前記の見直しポイント（１）及び（４）に対応する解決手段として構成されるものであり、マスク本体部２の左右方向の横幅に関し、上端部における横幅が下端部における横幅よりも狭い構成とされる。具体的には、図３に示すマスク折り畳み時において、マスク本体部２と左側耳掛け部３ａ及び右側耳掛け部３ｂとの間の直線状の境界線４ａに直交し、当該境界線４ａと左側シート部２ａ及び右側シート部２ｂ間の縁部２ｃとの間を結んで形成される延在線のうち、境界線４ａの上端部Ｘ１に形成される第１の延在線Ｌ１の長さ（長さａ）が、境界線４ａの下端部Ｘ２に形成される第２の延在線Ｌ２の長さ（長さｂ）よりも短くなるように構成されている。このとき、第１の延在線Ｌ１は、境界線４ａの上端部Ｘ１において、この境界線４ａと直交する線のうち、上端部Ｘ１と縁部２ｃの点Ｙ１とを結ぶ線として規定される。同様に、第２の延在線Ｌ２は、境界線４ａの下端部Ｘ２において、この境界線４ａと直交する線のうち、下端部Ｘ２と縁部２ｃの点Ｙ２とを結ぶ線として規定される。
【００３５】
従って、このような構成では、図４に示すマスク拡開時において、左右の上端部Ｘ１を最短距離で結ぶ線の長さが、第１の延在線Ｌ１の長さの２倍（２×ａ）に実質的に合致し、また左右の下端部Ｘ２を最短距離で結ぶ線の長さが、第２の延在線Ｌ２の長さ（２×ｂ）に実質的に合致することとなる。このような構成では、マスク１を立体状に拡開した状態において、着用者側或いはその反対側からみたマスク本体部２は、上端部Ｘ１側を短辺とし下端部Ｘ２側を長辺とする台形状とされ、或いはその左右両端部によって概ね「ハ」字形状を形成することとなる。
なお、ここでいう「境界線４ａ」、「縁部２ｃ」、「境界線４ａの上端部Ｘ１」、「境界線４ａの下端部Ｘ２」、「第１の延在線Ｌ１」及び「第２の延在線Ｌ２」が、それぞれ本発明における「境界線」、「縁部」、「境界線の上端部」、「境界線の下端部」、「第１の延在線」及び「第２の延在線」に対応している。
【００３６】
このような第１の構造によれば、マスク本体部２の上端部における横幅を下端部における横幅よりも狭くするように構成することで、マスク本体部の上端部側が着用者の鼻により面接触し易くなるため、とりわけ子供や小顔の人のように鼻が低く頬が高いような着用者のマスク着用時に、当該マスクが適正な着用位置からずれるのを防止することが可能となる。
【００３７】
より具体的には、着用者がマスク１を着用する際、マスク本体部２の頂上の縁部分が着用者の鼻の稜線上に配置されるとともに、左側シート部２ａ及び右側シート部２ｂが、夫々左右側の鼻の傾斜に沿った状態にて配置されるところ、マスク本体部２の上端部が下端部よりも短く構成されているため、着用者の鼻に良好にフィットする。また、左側耳掛け部３ａ及び右側耳掛け部３ｂを耳にかけた際、マスク本体部２の上端部における横幅が短いため、当該耳掛け部がマスク本体部２を引っ張る力は、下端部側よりも上端部側の方が大きくなる。つまり、マスク本体部２の上端部側の方が、着用者に密接することとなり、一方でマスク本体部２の下端部側による着用者の顔の下側に対する締め付けは相対的に弱いものとなる。さらに、この際、マスク本体部２の下端部が上端部よりも長く形成されているため、マスク本体部２の下端部側が着用者の顎の広い範囲を覆った状態となり、これにより着用者の顎に対するマスク締め付け力はより分散され易くなる。従って、着用者がマスク着用時に喋った場合、顎が動いてもマスク１が顎の動きに追随しにくく、マスク１が適正な着用位置からずれにくいものとなる。
【００３８】
なお、マスク本体部２と左側耳掛け部３ａ及び右側耳掛け部３ｂとの間の境界線４ａに関しては、当該境界線が直線状に構成されるのが好ましい。一方で、この境界線が曲線状に構成される場合には、曲線状の当該境界線の端部同士を結ぶ直線を、マスク本体部２と左側耳掛け部３ａ及び右側耳掛け部３ｂとの間の境界線として規定することもできる。
【００３９】
（第２の構造）
マスク１の第２の構造に関しては、図５及び図６が参照される。図５には、本実施の形態のマスク１のマスク折り畳み時における側面図であって、第２の構造を説明する図が示され、図６には、図５中のマスク１をマスク拡開時において着用者側からみた図であって、第２の構造を説明する図が示されている。
【００４０】
この第２の構造は、前記の見直しポイント（２）に対応する解決手段として構成されるものであり、マスク本体部２の頂部（図５中の点Ｙ４）、すなわち口覆い部の頂部が、マスク１の上下方向に関し真中よりも下側に位置する構成とされる。具体的には、図５に示すマスク折り畳み時において、マスク本体部２と左側耳掛け部３ａ及び右側耳掛け部３ｂとの間の境界線４ａに直交し、当該境界線４ａと左側シート部２ａ及び右側シート部２ｂ間の縁部２ｃとの間を結んで形成される延在線のうち、延在長さが最長とされる第４の延在線Ｌ４（長さｃ）が、境界線４ａの上端部Ｘ１と下端部Ｘ２との中点部Ｘ３に形成される第３の延在線Ｌ３よりも下方に配設されるように構成されている。このとき、第３の延在線Ｌ３は、境界線４ａの中点部Ｘ３において、この境界線４ａと直交する線のうち、中点部Ｘ３と縁部２ｃの点Ｙ３とを結ぶ線として規定される。同様に、第４の延在線Ｌ４は、境界線４ａと直交し延在長さが最長とされる線のうち、境界線４ａ上の点Ｘ３と、縁部２ｃの点Ｙ４とを結ぶ線として規定される。また、このような構成では、図６に示すマスク拡開時において、左右の点Ｘ４を最短距離で結ぶ線の長さが、第４の延在線Ｌ４の長さの２倍（２×ｃ）に実質的に合致することとなる。
なお、ここでいう「中点部Ｘ３」、「第３の延在線Ｌ３」及び「第４の延在線Ｌ４」が、それぞれ本発明における「中点部」、「境界線の上端部と下端部との中点部に形成される延在線」、「延在長さが最長とされる最長延在線」に対応している。
【００４１】
このような第２の構造を採用することによって、マスク本体部の頂部をマスクの上下方向に関し真中よりも下側に配置することによって、とりわけ子供や小顔の人のように鼻先と口先（唇）との高さの差が小さい着用者のマスク着用時に、着用者の口元空間を増大させることが可能となる。
【００４２】
（第３の構造）
マスク１の第３の構造に関しては、図７及び図８が参照される。図７には、本実施の形態のマスク１のマスク折り畳み時における側面図であって、第３の構造を説明する図が示され、図８には、図７中のマスク１をマスク拡開時において着用者側からみた図であって、第３の構造を説明する図が示されている。
【００４３】
この第３の構造は、前記の見直しポイント（３）、（４）及び（５）に対応する解決手段として構成されるものであり、左側耳掛け部３ａ及び右側耳掛け部３ｂの耳掛け穴５を、マスク本体部２の上端部に対し相対的に低い部位に配設した構成とされる。具体的には、図７に示すマスク折り畳み時及び図８に示すマスク拡開時において、マスク本体部２と左側耳掛け部３ａ及び右側耳掛け部３ｂとの間の境界線４ａの上端部Ｘ１と、左側シート部２ａと右側シート部２ｂとの間の縁部２ｃの上端部Ｙ５とを結ぶ第５の延在線Ｌ５よりも下方に、耳掛け穴５が配設されるように構成されている。
なお、ここでいう「第５の延在線Ｌ５」が、本発明における「マスク本体部と左側耳掛け部及び右側耳掛け部との間の境界線の上端部と、左側シート部と右側シート部との間の縁部の上端部とを結ぶ延在線」に相当する。
【００４４】
このような第３の構造によれば、左側耳掛け部３ａ及び右側耳掛け部３ｂの耳掛け穴５を、マスク本体部２の上端部に対し相対的に低い部位に配設することで、とりわけ子供や小顔の人のように耳の位置が低い着用者のマスク着用時に、当該マスクを適正な着用位置に設定することが可能となる。また、このような第３の構造を採用することによって、左側耳掛け部３ａ及び右側耳掛け部３ｂの上下の長さ、すなわち左側耳掛け部３ａ及び右側耳掛け部３ｂのうち耳掛け穴５を挟んで上側の部位の長さと下側の部位の長さに関し、上側の部位の長さと下側の部位の長さが概ね等しいか、或いは上側の部位の長さが下側の部位の長さよりも若干長くなる。従って、左側耳掛け部３ａ及び右側耳掛け部３ｂを左右に多少強く引っ張っても、上側の部位及び下側の部位が概ね同様に伸びることとなり、バランスの良い装着性能を確保するとともに、局所的に力が作用するのを防止することが可能となる。
【００４５】
（第４の構造）
マスク１の第４の構造に関しては、図９が参照される。図９には、本実施の形態のマスク１のマスク折り畳み時における耳掛け部３ａ，３ｂの側面図であって、第４の構造を説明する図が示されている。
【００４６】
この第４の構造は、前記の見直しポイント（５）に対応する解決手段として構成されるものであり、左側耳掛け部３ａ及び右側耳掛け部３ｂの素材及び構造を工夫した構成とされる。具体的には、左側耳掛け部３ａ及び右側耳掛け部３ｂとして、繊維長さが４４ｍｍ以上の捲縮繊維を用いるとともに、左側耳掛け部３ａ及び右側耳掛け部３ｂに、長さの異なる２軸を有する楕円状の開孔（開口）６を複数設けるように構成されている。これら複数の開孔６は、いずれも左側耳掛け部３ａ及び右側耳掛け部３ｂにおいて貫通状に形成された孔とされる。なお、図９中の左図において、この開孔６は、長軸６ａ及び短軸６ｂを有する楕円孔としているが、楕円孔のみならず、ひし形、多角形、円形などの形状の開孔を適宜採用することもできる。
【００４７】
この開孔６は、典型的には、スパンレース不織布の製造過程において、全面均一にウォータージェット（高圧水流）による処理を施した後に、更にウォータージェット（高圧水流）による開孔処理を施すことによって形成される。このような開孔処理を用いることにより、開孔６の縁部において他の部位よりも繊維密度が高められ繊維が束ねられた状態が形成されることとなり、伸長後の耳掛け部３ａ，３ｂを、元の状態に復帰させるための復帰性（「復元性」、「回復性」、「ストレッチ性」ないし「バネ性」とも称呼する）を助長する。この場合、開孔６の縁部の少なくとも一部における繊維密度が他の部位よりも高い構成であればよく、開孔６の縁部のうちの一部の繊維密度が、当該縁部６の他の部位の繊維密度よりも高い構成であってもよいし、或いは開孔６の縁部のうちの一部の繊維密度が、縁部６以外の他の部位の繊維密度よりも高い構成であってもよい。また、開孔６の縁部のうち繊維密度が高い部位は、典型的には、当該縁部のうち短軸６ｂと交差する部位及びその周辺部位に少なくとも合致する。
【００４８】
このスパンレース不織布の製造過程は、より具体的には、カード工程、ウォータージェット工程、開孔ウォータージェット工程、乾燥工程、シュリンク工程からなる。カード工程は、各種繊維の開繊されたものを幅方向に対して均一に目付を合わせて連続的にウェーブを形成する工程とされる。ウォータージェット工程は、ウェーブを高圧水流で交絡させ、シート強度を持たせる工程とされる。開孔ウォータージェット工程は、起伏したもので水が抜ける構造物（ネット・パンチングプレート）の上に交絡したシートを通過させる際に高圧の水流を不織布に吹き付けて開孔を形成させる工程とされる。なお、高圧の水流を不織布に吹き付けるこの開孔ウォータージェット工程にかえて、高圧のスチーム噴流を不織布に吹き付ける工程を採用することもできる。乾燥工程では、シートに含まれている水分を乾燥させて飛ばす工程とされる。シュリンク工程は、捲縮繊維がポリプロピレン／変性ポリプロピレンであれば、変性ポリプロピレンが１４０℃付近で収縮が始まり、もう一方のポリプロピレンは収縮が起こらないのでコイル状になり、その時に不織布の流れ方向と幅方向に収縮が起こる。
【００４９】
このような製造過程において、特にカード工程及びウォータージェット工程により、織布の流れ方向に配向性を有する不織布基体が形成される。また、開孔ウォータージェット工程により、噴射流体（ウォータージェットの水流もしくはスチーム噴流）が不織布基体に噴射され、この噴射流体のあたった部分を繊維がよけることにより、すなわち繊維が押し分けられることにより、不織布に開孔が確実に形成される。このとき、ウォータージェットの水流（もしくは蒸気）が固定されており、一方で不織布基体は移動されているため、開孔は長円形となる。よって、開孔の周辺は、繊維の密度（密集の度合い）が高くなる。この高い密度の繊維がシュリンク工程によりシュリンクされることにより、高いバネ性を有するものとなる。
【００５０】
このような第４の構造を採用することによって、マスク着用時に耳掛け部３ａ，３ｂを耳に引っ掛けるべく当該耳掛け部３ａ，３ｂが左右に引っ張られるとき、開孔６が全体的に図９中の右図のように二点鎖線の状態から実線の状態へと変化し、これにより引っ張り方向（図９中の左右方向）に関し構造上の伸びが生じることとなる。この構造上の伸びによって、耳掛け部３ａ，３ｂを耳に引っ掛けた際に耳に痛みを与えないような伸縮性、すなわち装着快適性を付与することが可能となる。一方で、開孔６の縁部において繊維密度が高められ束ねられた状態の繊維によって、伸長後の耳掛け部３ａ，３ｂの復帰性を助長することができるため、マスクの装着及び脱着を繰り返した場合に、耳掛け部３ａ，３ｂが伸びたままになるのを防止し、これにより着脱耐久性を向上させることが可能となる。従って、マスク装着時の装着快適性向上と着脱耐久性向上の両立を図ることが可能となる。
【００５１】
また、この開孔６は、図９に示すように、マスク折り畳み時において、長い方の軸（長軸６ａ）がマスク本体部２と左側耳掛け部３ａ及び右側耳掛け部３ｂとの間の境界線４ａに平行に延在する開孔を含む構成であるのが好ましい。この場合、境界線４ａと開孔６の延在方向が完全に平行とされた構成であってもよいし、或いは開孔６が境界線４ａに平行な成分を有しつつ延在することによって境界線４ａに概ね平行ないし平行状とされた構成であってもよい。このような構成によれば、耳掛け部３ａ，３ｂの引っ張り方向に関する構造上の伸びが更に生じ易くなり、また伸長後の耳掛け部３ａ，３ｂの復帰性を更に助長することができるため、マスク装着時の装着快適性向上と着脱耐久性向上の両立をより高いレベルで実現することが可能となる。なお、図９に示す実施形態では、複数の開孔６が規則的に配列される場合について記載したが、これら複数の開孔６が不規則的に配列された構成や、これら複数の開孔６に加えて、別の形状の開孔が規則的ないし不規則的に配列された構成等を適宜採用することもできる。
【００５２】
ここで、マスク装着時の装着快適性と着脱耐久性に関しては、耳掛け部３ａ，３ｂを構成する試料を作成し、当該試料の性能評価（引張強度及び伸長回復率の測定・評価）を実施した。以下、この性能評価の手順及び結果に関して説明する。なお、この性能評価として、典型的にはＪＩＳ  Ｌ−１０９６法が参照される。
【００５３】
（試料の作成）
上記構成の耳掛け部３ａ，３ｂと同様の素材を用い、縦２１０［ｍｍ］、横２９７［ｍｍ］、目付け１００．０［ｇ／ｍ２］の試料を３枚採取した。更に、各試料から、幅５０［ｍｍ］、長さ２９７［ｍｍ］のサンプルを、縦、横各方向に関し３枚ずつ採取した。
【００５４】
（引張強度の測定・評価）
引張強度の測定では、公知の定速伸縮型引張試験機によって、幅５０［ｍｍ］、長さ２９７［ｍｍ］の上記サンプルを評価した。この場合の測定条件に関しては、サンプルのつかみ間隔を２００［ｍｍ］、引張速度を２００［ｍｍ／ｍｉｎ］とし、縦方向及び横方向における当該サンプルの５０％伸長時の強度、また縦方向及び横方向における当該サンプルの９０％伸長時の強度を測定し、測定サンプルの平均値を算出した。この場合、５０％伸長時の強度を５０％応力［Ｎ］として規定し、また９０％伸長時の強度を９０％応力［Ｎ］として規定した。そして、５０％応力が１［Ｎ］以下で、且つ９０％応力が１［Ｎ］以下のものが、所望の装着快適性基準を満たすもの、すなわち耳掛け部３ａ，３ｂを耳に引っ掛けた際に耳に痛みを与えないような伸縮性を有するものであると評価した。
【００５５】
（伸長回復率の測定・評価）
伸長回復率の測定では、公知の定速伸縮型引張試験機によって、幅５０［ｍｍ］、長さ２９７［ｍｍ］の上記サンプルを評価した。この場合の測定条件に関しては、サンプルのつかみ間隔を２００［ｍｍ］、引張速度を２００［ｍｍ／ｍｉｎ］とし、当該サンプルを５０％伸長させたのち同速度で原点まで回復させたときの回復度合い（割合）、また当該サンプルを９０％伸長させたのち同速度で原点まで回復させたときの回復度合い（割合）を測定し、測定サンプルの平均値を算出した。この場合、５０％伸長後の回復度合いを５０％伸長回復率［％］として規定し、また９０％伸長後の回復度合いを９０％伸長回復率［％］として規定した。そして、５０％伸長回復率が７０［％］以上で、且つ９０％伸長回復率が６０［％］以上のものが、所望の着脱耐久性基準を満たすもの、すなわち耳掛け部３ａ，３ｂが伸びたままの状態になりにくいものであると評価した。
【００５６】
その評価の結果、上記所望の装着快適性基準及び着脱耐久性基準を両立するためには、耳掛け部３ａ，３ｂを構成する伸縮性繊維の繊維長を４４［ｍｍ］以上とし、且つ開孔６の収縮前の大きさを１０〜５０メッシュとするのが有効であることが確認された。伸縮性繊維の繊維長を４４［ｍｍ］を下回ると、開孔６の収縮前の大きさを大きくしたとしても、応力が基準値を上回る。また、開孔６の収縮前の大きさを５０メッシュよりも大きくすると、伸長回復率が基準値よりも大幅に小さくなり、一方で開孔６の収縮前の大きさを１０メッシュよりも小さくすると、今度は無開孔の状態に近づくこととなり、応力が基準値を大幅に上回ることとなる。
【００５７】
（第５の構造）
マスク１の第５の構造に関しては、図１０〜図１３が参照される。図１０には、本実施の形態のマスク１のマスク折り畳み時における側面図であって、第５の構造を説明する図が示され、図１１には、図１０中のＡ−Ａ線断面に関する構造が示されている。また、図１２及び図１３には、いずれも図１０中の第２のエンボス加工部４ｃの一実施形態が示されている。
【００５８】
この第５の構造は、前記の見直しポイント（６）に対応する解決手段として構成されるものであり、マスク本体部２と耳掛け部３ａ，３ｂとの境界部４におけるエンボス構造を工夫した構成とされる。具体的には、図１０に示すように、耳掛け部３ａ，３ｂは、マスク本体部２と耳掛け部３ａ，３ｂとを互いに接合するべく境界部４の全体にわたって形成された複数の第１のエンボス加工部４ｂに加えて、更に第１のエンボス加工部４ｂとは異なる形状の複数の第２のエンボス加工部４ｃを備えるように構成されている。図１１に示すように、これら第１のエンボス加工部４ｂ及び第２のエンボス加工部４ｃは、いずれも凹凸形状を有するエンボスローラーによって凹状に加工された部位とされる。特に、本実施の形態の第１のエンボス加工部４ｂは、マスク本体部２と耳掛け部３ａ，３ｂとの接合強度を高める機能を有する。
【００５９】
また、本実施の形態の第２のエンボス加工部４ｃは、マスク本体部２と耳掛け部３ａ，３ｂとの接合機能に加えて、更にマスク１の上下方向を識別可能に表示する表示部として機能を備える。ここでいう第２のエンボス加工部４ｃが、本発明における「表示部」を構成している。第２のエンボス加工部４ｃによるこの表示形態に関しては、単一の第２のエンボス加工部４ｃによって、マスク１の上下方向に関する情報を表示する第１の表示態様であってもよいし、複数の第２のエンボス加工部４ｃを組み合わせることによって、マスク１の上下方向に関する情報を表示する第２の表示態様であってもよい。この場合、マスク１の上下方向に関する情報を表示可能な文字、記号、模様、図柄などを適宜用いることができる。
【００６０】
上記第１の表示態様に関しては、図１２に示すように、第２のエンボス加工部４ｃに「上向き矢印」を表示する形態を採用することによって、矢印の先が上を向くようにマスク１を設定することでマスク１の上下方向が定まることとなる。また、上記第２の表示態様に関しては、図１３に示すように、上側から下側の第２のエンボス加工部４ｃの順で「Ａ」〜「Ｅ」を表示する形態を採用することによって、「Ａ」が表示された第２のエンボス加工部４ｃを最上部に配置し、「Ｅ」が表示された第２のエンボス加工部４ｃを最下部に配置するようにマスク１を設定することでマスク１の上下方向が定まることとなる。
【００６１】
このような第５の構造を採用することによって、マスク１の上下方向を着用者に容易に識別させることが可能となるとともに、接合用のエンボス加工部分を表示部として兼用することで新たな表示部を設ける必要がなく、製造コスト低減を図るのに有効とされる。また、第２のエンボス加工部４ｃとして、子供の興味を引きやすい表示形態、例えば特定のキャラクターなどを採用することによって、とりわけ着用者が子供である場合に、マスクに対する子供の興趣を高めることが可能となる。
【００６２】
なお、マスク本体部２と耳掛け部３ａ，３ｂとの境界部４におけるエンボス構造によって、マスク１の上下方向に関する情報を表示する以外に、この境界部４に代えて或いは加えて、マスク本体部２や耳掛け部３ａ，３ｂの外表面に、エンボス構造やその他の表示構造（例えば印字構造）によってマスク１の上下方向に関する情報を表示することもできる。
【００６３】
（第６の構造）
マスク１の第６の構造に関しては、図１４が参照される。図１４には、本実施の形態のマスク１の第６の構造を説明する図が示されている。
【００６４】
この第６の構造は、前記の見直しポイント（６）に対応する解決手段として構成されるものであり、マスク本体部２の外表面に装飾用の被着部材（「シール部材」とも称呼する）を設けるとともに、この被着部材の構造を工夫した構成とされる。具体的には、図１４に示すように、台紙Ｓ上の被着部材Ｓ１〜Ｓ４を、パズル状に適正に配置してスク本体部２の外表面に被着することで、マスク本体部２の外表面全体が被着部材Ｓ１〜Ｓ４によってほぼ完全に覆われるように構成されている。換言すれば、被着部材Ｓ１〜Ｓ４の適正な配置により、被着部材Ｓ１〜Ｓ４全体によって形成される形状が、マスク本体部２の外表面全体の形状に概ね合致した状態を完成させることが可能となる。なお、これら被着部材Ｓ１〜Ｓ４は、マスク着用時において着用者の息苦しさが生じることのないような空気透過性を備えた構成であるのが好ましい。
【００６５】
このような第６の構造を採用することによって、とりわけ着用者が子供である場合に、マスクに対する子供の興趣を高めるとともに、被着部材Ｓ１〜Ｓ４をパズル状に組み合わせて目的の形状を形成させるという達成感を付与することができ、これにより子供の知育に関する機能を得ることが可能となる。また、子供の興味を引きやすい表示、例えば特定のキャラクターなどを各被着部材に表示した構成を採用するのが好ましい。この場合、被着部材Ｓ１〜Ｓ４のそれぞれに対し同一の表示または異なる表示を行うように構成してもよいし、或いは被着部材Ｓ１〜Ｓ４のうちの複数の被着部材が適正に配置されることで、各被着部材における表示が互いに組み合わせられて結果的に単一の表示が形成されるように構成することもできる。このような構成によれば、とりわけ着用者が子供である場合に、マスクに対する子供の興趣を高めることが可能となる。
【００６６】
上記構成のマスク１を、着用者としての子供が着用した状態に関しては、図１５が参照される。図１５には、本実施の形態のマスク１を子供が着用したマスク着用状態を側面からみた様子が示される。
【００６７】
図１５に示すように、本実施の形態のマスク１は、子供の顔に包括的にフィットする構成とされる。例えば、マスク本体部２の上端部における横幅を下端部における横幅よりも狭くして、マスク本体部２の上端部側が着用者の鼻により面接触し易くしているため、フィット感を高め、とりわけ子供や小顔の人のように鼻が低く頬が高いような着用者のマスク着用時に、当該マスクが適正な着用位置からずれるのを防止するのに効果的である。なお、一般的な大人において鼻の部位のフィット感を向上させたいという要請に対しては、少なくとも前述の第１の構造を備えた、本実施の形態のマスク１を相似状に拡大した形状のマスクを提供することによって対応が可能となる。
また、例えば、マスク本体部２の頂部、すなわち縁部２ｃの頂部をマスク１の上下方向に関する下側に配設することによって、立体状のマスク本体部２と着用者の口との間に口元空間７を確実に形成させることができ、これにより息苦しさ等の不快感を解消するのに効果的である。
また、例えば、左側耳掛け部３ａ及び右側耳掛け部３ｂの耳掛け穴５を、マスク本体部２の上端部に対し相対的に低い部位に配設することで、とりわけ子供や小顔の人のように耳の位置が低い着用者のマスク着用時に、当該マスクを適正な着用位置に設定するのに効果的である。
また、例えば、左側耳掛け部３ａ及び右側耳掛け部３ｂのそれぞれに複数の開孔６を設けることで、引っ張り方向に関し構造上の伸びを生じさせて、耳掛け部３ａ，３ｂを耳に引っ掛けた際に耳に痛みを与えないような装着快適性を付与するとともに、開孔６の縁部において繊維密度が高められ束ねられた状態の繊維によって、伸長後の左側耳掛け部３ａ及び右側耳掛け部３ｂの復帰性を助長することで、左側耳掛け部３ａ及び右側耳掛け部３ｂが伸びたままになるのを防止するような着脱耐久性を付与するのに効果的である。
【００６８】
（他の実施の形態）
なお、本発明は上記の実施の形態のみに限定されるものではなく、種々の応用や変形が考えられる。例えば、上記実施の形態を応用した次の各形態を実施することもできる。
【００６９】
上記実施の形態においては、第１〜第６の構造を兼ね備えたマスク１について記載したが、本発明では、第１〜第６の構造のうちの少なくとも１つの機能が付与されたマスクを採用することができる。
【００７０】
また、上記実施の形態においては、左側シート部２ａ及び右側シート部２ｂの熱溶着接合によってマスク本体部２が形成される場合について記載したが、本発明では熱溶着をはじめとする各種の接合方法によって少なくとも１つの複数のシート部の全部または一部を接合して、マスク本体部を形成することができる。
【図面の簡単な説明】
【００７１】
【図１】本実施の形態のマスク１のマスク折り畳み時における側面図である。
【図２】図１中のマスク１を立体状に拡開したマスク拡開時において、当該マスク１を着用者側からみた図である。
【図３】本実施の形態のマスク１のマスク折り畳み時における側面図であって、第１の構造を説明する図である。
【図４】図３中のマスク１をマスク拡開時において着用者側からみた図であって、第１の構造を説明する図である。
【図５】本実施の形態のマスク１のマスク折り畳み時における側面図であって、第２の構造を説明する図である。
【図６】図５中のマスク１をマスク拡開時において着用者側からみた図であって、第２の構造を説明する図である。
【図７】本実施の形態のマスク１のマスク折り畳み時における側面図であって、第３の構造を説明する図である。
【図８】図７中のマスク１をマスク拡開時において着用者側からみた図であって、第３の構造を説明する図である。
【図９】本実施の形態のマスク１のマスク折り畳み時における耳掛け部３ａ，３ｂの側面図であって、第４の構造を説明する図である。
【図１０】本実施の形態のマスク１のマスク折り畳み時における側面図であって、第５の構造を説明する図である。
【図１１】図１０中のＡ−Ａ線断面に関する構造を示す図である。
【図１２】図１０中の第２のエンボス加工部４ｃの一実施形態を示す図である。
【図１３】図１０中の第２のエンボス加工部４ｃの一実施形態を示す図である。
【図１４】本実施の形態のマスク１の第６の構造を説明する図である。
【図１５】本実施の形態のマスク１を子供が着用したマスク着用状態を側面からみた様子を示す図である。
【符号の説明】
【００７２】
１…マスク
２…マスク本体部
２ａ…左側シート部
２ｂ…右側シート部
２ｃ…縁部
３…耳掛け部
３ａ…左側耳掛け部
３ｂ…右側耳掛け部
４…境界部
４ａ…境界線
４ｂ…第１のエンボス加工部
４ｃ…第２のエンボス加工部
５…耳掛け穴
６…開孔
６ａ…長軸
６ｂ…短軸
７…口元空間